(57)【要約】可搬型プレハブコンテナハウスは、本体と、本体に収容され、本体の３倍のサイズのハウスに拡大され且つ組み立てられるように設置場所において本体から引き出されるように構成されたハウス形成体とを備える。床板と天井板との間に挟まれた、予め組み立てられた角型「Ｕ」字形状壁の組み立ては、天井支持梁と床支持梁とをシャックルで互いにしっかりと結合することと、ハウスを地震及び暴風の影響を受けないようにするために壁の間に鋼製ロッド又は鋼製パイプを通すことを含む。鋼製管体から成る基礎が地震及び暴風への抵抗力を支援する。２つ以上のコンテナハウスを積み重ねることでは不十分で、大規模な都市開発が必要である場合、多数のコンテナハウスを収容するメガストラクチャーを使用することができ、ワイヤーメッシュでカバーする方式によって地震及び暴風に耐えることができる。
2013515178.tif 000002
【特許請求の範囲】
【請求項１】
設置場所へ輸送可能又は移動可能な本体と、
前記本体に収容され、前記本体と共に前記設置場所へ輸送又は移動され、且つ拡張し又は組み立てるために前記設置場所で前記本体から引き出されるように構成されたハウス形成体と
を備え、
拡長し又は組み立てた状態で、前記ハウスは、地震及び暴風に対する構造的な支持のために構成されたワイヤー又はケーブル及びシャックルをさらに備える、プレハブコンテナハウス。
【請求項２】
前記本体は、トレーラートラックで牽引することができるコンテナ型メインフレーム部材を含み、
前記ハウス形成体は、複数の住宅形成部材を含み、前記住宅形成部材は、前記メインフレーム部材に収容され、前記設置場所において前記メインフレーム部材から引き出され、ハウスへと組み立てられることが可能である、請求項１に記載のプレハブコンテナハウス。
【請求項３】
前記メインフレーム部材は、それぞれが床及び天井を形成する一対の上方及び下方水平フレームと、各々が壁を形成するように前記水平フレームの端部で前記水平フレームを連結する一対の垂直フレームとで箱形に形成され、
前記住宅形成部材は、床板と、天井板と、２つのデザインの壁パネルと、バス・トイレユニットと、キッチンユニットとを含み、
前記メインフレーム部材は、前記メインフレーム部材から引き出されて前記設置場所で組み立てられる前記床板を支持する床支持フレーム又は梁と、前記メインフレーム部材から引き出されて前記設置場所で組み立てられる前記天井板を支持する天井支持フレーム又は梁とを含むサブフレーム部材を収容し、
シャックルで留められた少なくとも１つのワイヤー又はケーブルが、一対の天井及び床支持フレーム又は梁を連結する、請求項２に記載のプレハブコンテナハウス。
【請求項４】
前記サブフレーム部材は、前記メインフレーム部材を補強するように前記一対の水平フレームの間に設けられた補強柱を含む、請求項３に記載のプレハブコンテナハウス。
【請求項５】
前記床支持フレーム又は梁と前記天井支持フレーム又は梁は前記水平フレームから外側に引き出される、請求項３に記載のプレハブコンテナハウス。
【請求項６】
高層住宅を形成するために２つ以上の前記ハウス本体が積み重ねられる、請求項１に記載のプレハブコンテナハウス。
【請求項７】
前記床板と前記天井板は、重ね合わせて前記一対の水平フレームの間に収容され、
少なくとも１つの前記壁パネルは、前記垂直フレームの対応する１つと重ね合わせて収容され、
残りの前記壁パネルは前記垂直フレームの間の中間位置に重ね合わせて収容される、請求項３に記載のプレハブコンテナハウス。
【請求項８】
メインフレーム部材であって、箱形と、前記メインフレーム部材の少なくとも１つの側面にある開口部とを有し、矩形板形を有する一対の垂直フレームと、各々が前記一対の垂直フレームに連結された矩形板形を有する上方及び下方水平フレームとを含むメインフレーム部材と、
前記メインフレーム部材の下部から前記メインフレーム部材の外側に水平方向に延びるように構成された可動床板と、
前記メインフレーム部材の上部から前記メインフレーム部材の外側に水平方向に延びるように構成された可動天井板と、
前記垂直フレームの１つから前記可動床板と前記可動天井板との間に引き出されるように構成された可動壁パネルと、
地震及び暴風に対する構造的な支持のために構成されたワイヤー又はケーブル及びシャックルと
を備え、
前記可動床板と前記可動天井板は水平方向に延ばされる、コンテナハウス。
【請求項９】
前記可動床板は、垂直位置と水平位置との間で水平軸を中心に旋回可能に前記メインフレーム部材の前記下部に支持され、
前記可動床板は、前記水平位置において前記メインフレーム部材の前記開口部を閉じるカバーとして機能する、請求項８に記載のコンテナハウス。
【請求項１０】
前記可動天井板は、水平軸を中心に旋回可能に前記メインフレーム部材の前記上部に支持される、請求項８に記載のコンテナハウス。
【請求項１１】
各可動壁パネルは、垂直軸を中心に旋回可能に各可動壁パネルの端部に支持された外壁パネルを含む、請求項８に記載のコンテナハウス。
【請求項１２】
水平方向に延ばされた前記可動床板を支持するように前記メインフレーム部材の下部から前記可動床板の下に突出可能な床支持フレーム又は梁をさらに備え、
前記床支持フレーム又は梁は、シャックルで留められた少なくとも１つのワイヤー又はケーブルに連結されている、請求項８に記載のコンテナハウス。
【請求項１３】
水平方向に延ばされた前記可動天井板を支持するように前記メインフレーム部材の上部から前記可動天井板の上に突出可能な天井支持フレーム又は梁をさらに備え、
前記天井支持フレーム又は梁は、シャックルで留められた少なくとも１つのワイヤー又はケーブルに連結されている、請求項８に記載のコンテナハウス。
【請求項１４】
水平軸で旋回可能に前記メインフレーム部材の下部に支持されたベッドユニットをさらに備える、請求項８に記載のコンテナハウス。
【請求項１５】
前記可動壁パネルは、前記可動床板上に摺動可能に設けられる、請求項８に記載のコンテナハウス。
【請求項１６】
前記可動天井板は垂直位置と水平位置との間で水平軸で旋回可能に前記メインフレーム部材の前記上部に支持され、
前記可動天井板は、前記水平位置において前記メインフレーム部材の前記開口部を閉じるカバーとして機能する、前記請求項８に記載のコンテナハウス。
【請求項１７】
メインフレーム部材であって、箱形と、前記メインフレーム部材の少なくとも１つの側面にある開口部とを有し、矩形板形を有する一対の垂直フレームと、各々が前記一対の垂直フレームに連結された矩形板形を有する上方及び下方水平フレームとを含むメインフレーム部材と、
前記メインフレーム部材の下部から前記メインフレーム部材の外側に水平方向に延びるように構成された可動床板であって、垂直位置と水平位置との間で水平軸を中心に旋回可能に前記メインフレーム部材の前記下部に支持され、前記水平位置において前記メインフレーム部材の前記開口部を閉じるカバーとして機能する可動床板と、
前記メインフレーム部材の上部から前記メインフレーム部材の外側に水平方向に延びるように構成された可動天井板であって、水平軸に関して旋回可能に前記メインフレーム部材の前記上部に支持される可動天井板と、
前記可動床板と前記可動天井板が水平方向に延ばされた状態で、前記垂直フレームの１つから前記可動床板と前記可動天井板との間に引き出されるように構成された可動壁パネルであって、前記可動床板上に摺動可能に設けられ、各々が垂直軸で旋回可能に前記可動壁パネルの一端に支持された外壁パネルを含む可動壁パネルと、
水平方向に延ばされた前記可動床板を支持するように前記メインフレーム部材の下部から前記可動床板の下に突出可能な床支持フレーム又は梁と、
水平方向に延ばされた前記可動天井板を支持するように前記メインフレーム部材の上部から前記可動天井板の上に突出可能な天井支持フレーム又は梁と、
地震及び暴風に対する構造的な支持のために構成されたワイヤー又はケーブル及びシャックルと
を備え、
シャックルで留められた少なくとも１つのワイヤー又はケーブルが、少なくとも一対の天井及び床支持フレーム又は梁を連結する、コンテナハウス。
【請求項１８】
前記設置場所に設置され、その上に取り付けられた前記プレハブコンテナハウスを有する設置用基礎体をさらに備え、
前記設置用基礎体は、
地中に埋設された埋設管体と、
棒体であって、前記棒体の先端部分が地面から突出する状態で前記埋設管体内に垂直に設けられた棒体と、
前記棒体に溶接されたダンパーであって、前記ハウスを前記基礎と共に地震及び暴風に対して強くするために、第１組のダンパーが前記棒体に垂直に溶接され、第２組のダンパーが前記埋設管体内で前記棒体を支持するように前記埋設管体内において約４５度の角度で前記棒体の下部に溶接されるダンパーと
を含む、請求項２に記載のプレハブコンテナハウス。
【請求項１９】
前記埋設管体は、
中空内部を有し、前記管体の下端に溶接された鋼製リングを前記管体の内部に有する周壁部と、
前記周壁部の下端において回転部又はヒンジを介して前記周壁部に連結され、前記周壁部の下側開口部で開閉することができるカバー部又は蓋と、
前記周壁部の上端に設けられた上部固定カバー本体であって、前記管体及び前記周壁部の内部を気密にし、且つ、地震及び／又は暴風が発生した場合に前記棒体がそれに接触して衝撃を和らげられることを可能にするために前記カバー本体の裏側にゴム引きＯ−リングを有する上部固定カバー本体と
を備え、
前記棒体は、
桿状棒本体であって、前記桿状棒本体の先端部に形成された取り付け面を有し、前記プレハブコンテナハウスが前記取り付け面に取り付けられる桿状棒本体と、
前記埋設管体の内部で前記棒体を支持する棒支持部材であって、前記棒に溶接されたダンパーを２箇所に備え、第１組のダンパーが前記棒に垂直に溶接され、第２組のダンパーが約４５度の角度で前記棒の下部に溶接される棒支持部材と
を含む、請求項１８に記載のプレハブコンテナハウス。
【請求項２０】
前記棒支持部材は、前記棒本体の周囲に固定されたリング状の接続部と、前記接続部に溶接された２組のダンパーとを含み、前記ダンパーの第１組は、前記棒本体から垂直に溶接され、前記ダンパーの第２組は前記棒本体の下部に約４５度の角度で溶接され、他端が前記周壁部の内壁によって支持される、請求項１９に記載のプレハブコンテナハウス。
【請求項２１】
前記設置場所から可動プレハブコンテナハウスを回収した後、前記埋設管体は前記棒体と共に地面から引き出され、前記下部可動カバー本体又は蓋は前記回転部又はヒンジ周りに回転される、請求項１９に記載のプレハブコンテナハウス。
【請求項２２】
前記メインフレーム部材は、床と天井を形成する一対の上方及び下方水平フレームと、各々が予め組み立てられた角型「Ｕ」字形壁を形成するように前記水平フレームの端部で前記水平フレームを連結する一対の垂直フレームとで箱形に形成され、
各住宅形成部材は、
床板と、
天井板と、
壁パネルと、
バス・トイレユニットと、
キッチンユニットと
を含み、
各壁パネルは、床板と天井板との間に挟まれた、平面視で角型「Ｕ」字形に予め組み立てられ又は形成された３つのユニット壁パネルを含む、予め組み立てられた角型「Ｕ」字形ユニット壁を備え、
前記メインフレーム部材は、前記床板を支持するように前記設置場所で前記メインフレーム部材から引き出される支持フレーム又は梁を含み、前記床板は、前記メインフレーム部材の前記下方水平フレームに回転可能に支持され、組み立て時に前記支持フレーム上に広げられ、
前記天井板は、組み立て時に前記メインフレーム部材から延ばされた前記上方水平フレーム又は梁によって回転可能に支持され、
シャックルで留められた少なくとも１つのワイヤー又はケーブルが、一対の天井及び床支持フレーム又は梁を連結する、請求項２に記載のプレハブコンテナハウス。
【請求項２３】
都市環境での設置及び複数のメガストラクチャーへの配置用に構成されたプレハブコンテナハウスであって、前記プレハブコンテナハウスは、
前記ハウスが据えられる床までクレーンによって吊り上げられ、
前記クレーンから１つ又は複数のフォークリフトに載せられ、前記ハウスが据えられる前記床上に配置され、且つ、
ツイストロックなどの機構で前記ハウスを固定するための前記床上の装置に対して所定位置にロックされることができ、
前記コンテナハウスは、地震及び暴風に対する構造的な支持のために構成されたワイヤー又はケーブル及びシャックルを備える、プレハブコンテナハウス。
【請求項２４】
走行クレーンの幅と同じ距離で互いに水平方向に向かい合うように配置された２つの同一の鋼構造物と、
都市環境での設置及びメガストラクチャーの床への配置用に構成された１つ又は複数のプレハブコンテナハウスをツイストロックなどの機構で固定するために少なくとも１つの装置を各床に有する複数の床と
を備え、
少なくとも１つのコンテナハウスが、地震及び暴風に対する構造的な支持のために構成されたワイヤー又はケーブル及びシャックルを備える、メガストラクチャー。
【請求項２５】
請求項２４に記載の前記メガストラクチャーを２つ以上含む複数組のメガストラクチャーであって、
前記鋼構造物は並置され、且つ、たった１つのクレーンが同一メガストラクチャーの１つの組から別の組に移動することを可能にするトラックで連結され、
前記クレーンは、前記２つの構造物の上部に、各構造物の縁に沿って敷かれたトラックで前記構造物をまたいで配置され、
前記クレーンは、各プレハブコンテナハウスを前記メガストラクチャーの前記床へ吊り上げ又は前記床から下ろし、
１つ以上のフォークリフトが前記クレーンから各ハウスを受け取り、それを前記ハウスが据えられる前記床上に配置し、ツイストロックなどの機構で前記ハウスを固定するための前記床上の装置に対して所定の位置に前記ハウスをロックする、複数組のメガストラクチャー。
【請求項２６】
複数組のメガストラクチャーを互いに無限に連結することを可能にし、それにより都市部の比較的小さな空間に無数のプレハブコンテナハウスを配置する、請求項２５に記載の複数組のメガストラクチャーの配置。
【請求項２７】
前記メガストラクチャーは、地震及び暴風に対して前記メガストラクチャーを保護するためにワイヤーメッシュで覆われる、請求項２４に記載のメガストラクチャー。
【請求項２８】
前記ワイヤーメッシュは、数箇所で前記メガストラクチャーにそれを連結し、それによって地震及び暴風から前記メガストラクチャーを保護するダンパーをさらに含む、請求項２４に記載のメガストラクチャー。
【請求項２９】
人々が前記メガストラクチャーを昇降するため、及びフォークリフトなどの機械を前記床から運び又は取り除くための複数組の階段及びエレベーターを含む複数の階段室をさらに含む、請求項２４のメガストラクチャー。
【請求項３０】
標準コンテナフレームで建物を建てる方法であって、
標準コンテナのフレームを搬送することと、
前記コンテナを組み立てて建物にすることと、
地震及び暴風に対する構造的な支持のためのワイヤー又はケーブル及びシャックルで前記コンテナを補強することと、
建物を所望の場所に配置することと
を含む方法。
【請求項３１】
まだ組み立てられていない（組み立て前の）コンテナハウスを輸送する方法であって、
１）前記コンテナハウスをコンテナ船で工場から目的港へ輸送し、且つ／又は、鉄道で及び／又はトラクタートレーラーで設置場所へ輸送することと、
２）前記コンテナハウスをクレーン又はフォークリフトによってコンテナ船及び／又は鉄道車両及び／又はトラクタートレーラーに載せ、後で下ろすことと、
３）前記コンテナハウス用に設計された４つの円筒状の基礎の上に前記コンテナハウスを配置することと、
４）地震及び暴風に対する構造的な支持のためのワイヤー又はケーブル及びシャックルで前記コンテナを補強することと、
５）前記ハウスをツイストロックで前記基礎にロックすることと
を含む方法。
【請求項３２】
地震及び暴風に対する構造的な支持のためのワイヤー又はケーブル及びシャックルで補強されたコンテナハウスを配置するための基礎を準備する方法であって、
円筒形の基礎を海路及び／又は陸路のいずれかで建設現場に輸送することと、
地震及び暴風に対する構造的な支持のためにワイヤー又はケーブル及びシャックルで補強された前記ハウスが配置される地面に４つの穴を掘ることと、
前記円筒状の基礎を各穴に挿入することと
を含む方法。
【請求項３３】
前記標準コンテナフレームが、前記フレームの４０フィート（１２．１９２ｍ）の上側面にある天井梁又は屋根梁と、前記フレームの４０フィート（１２．１９２ｍ）の下側面にある床梁と、前記フレームの４０フィート（１２．１９２ｍ）の側面に立てかけられた天井又は床板と、前記フレームの４０フィートの側面に立てかけられた床板と、前記コンテナフレームの両側から滑り出される予め組み立てられた角型「Ｕ」字形の壁ユニットとから成る群から選択された前記フレーム内に建てられ又は前記フレームに取り付けられる１つ又は複数の実施形態を有する、請求項３０に記載の標準コンテナフレームで建物を建てる方法。
【請求項３４】
前記コンテナの組み立てが、
１）前記フレームの上側面に埋め込まれた天井梁又は屋根梁を引き出すことと、
２）前記フレームの下側面に埋め込まれた床梁を引き出すことと、
３）前記床板を前記床梁の上に載るように前記フレームの側面から引き下ろすことと、
４）前記天井板又は屋根板を前記コンテナフレームの側面から前記天井梁又は屋根梁に対して押し上げることと、
５）前記天井板又は屋根板と前記床板との間に仮設の柱を配置することと、
６）前記コンテナフレームに埋め込まれた、前記予め組み立てられた角型「Ｕ」字形壁ユニットを引き出すことと、
７）シャックルが取り付けられたワイヤー又はケーブルで前記天井梁又は屋根梁を前記床梁に連結することと、
８）前記予め組み立てられた角型「Ｕ」字形壁ユニットが前記天井板又は屋根板と前記床板との間にしっかりと挟まれるように前記シャックルを締めることと、
９）前記コンテナハウスの前記メインフレームから引き出された前記コンテナハウスの部分に剛性を与えるために、前記「Ｕ」字形壁の間及び前記コンテナハウスの全長にわたって鋼製ロッドを通すことと
を含む、請求項３０に記載の標準コンテナフレームで建物を建てる方法。
【請求項３５】
所定の長さ及び厚さを有するシームレス鋼管を含み、各管が、
（Ａ）鋼棒であって、第１端又は上端にあるツイストロック取り付け具と、前記ツイストロック取り付け具から約３、４メートル前記棒に垂直に溶接され、前記鋼管の内側に接触しそうな第１組のダンパーとを有し、
（Ｂ）約４５度の角度で第２端又は下端に溶接され、前記鋼管の内側で前記下端に溶接された円形の鋼製リング又はリムに載り且つ前記鋼管の内側に接触しそうな、第２組の複数のダンパーを有する鋼棒と、
（Ｃ）カバーを有する前記第１端又は上端のシールであって、前記カバーは前記カバーの内側にゴム引きＯリングを有し、前記ツイストロック取り付け具を有する前記鋼棒の前記第１端又は上端のみが前記カバーから突出し、或いは、各鋼管が前記鋼棒と前記カバーとの間のゴム引きＯリングと、前記カバーと前記管との間のゴム引きＯリングとを有するシールと、
（Ｄ）前記鋼管にヒンジによって取り付けられた蓋、又は前記鋼管に溶接された蓋を有する第２端又は下端のシールと
を有する、請求項３２に記載の円筒状の基礎。
【請求項３６】
（大規模な）都市開発のためにコンテナハウスを使用する方法であって、
１）地震及び暴風に耐えるように大規模構造物用に開発された建設技術で、互いに水平方向に向かい合う２つの同一鋼構造物を含むメガストラクチャーを建設することと、
２）メガストラクチャー用の複数の鋼製床であって、地震及び暴風に対する構造的な支持のためにワイヤー又はケーブル及びシャックルで補強された複数のコンテナハウスがツイストロックによって前記床に固定されることができるように、前記床に組み込まれたツイストロック装置を有する鋼製床を組み立てることと、
３）前記２つの鋼構造物にまたがるトラックにクレーンを配置することと、
４）人及び機械が前記鋼構造を昇降するための階段及びエレベーターを含む階段室を取り付けることと、
５）複数の同一メガストラクチャーを建設して互いに取り付け、互いに向かい合わせることとを含み、前記メガストラクチャーはトラックによって水平方向に連結され、各メガストラクチャーは複数の鋼製床と、前記床に埋め込まれたツイストロック装置と、前記構造物に取り付けられた階段及びエレベーターを有する階段室と
を有する、方法。
【請求項３７】
（大規模な）都市開発のためにコンテナハウスを加工する方法であって、
１）コンテナハウスを、地盤面に駐車されたトラクタートレーラーから、前記コンテナハウスを配置するためのメガストラクチャーの所望の床までクレーンで吊り上げることと、
２）前記コンテナハウスをフォークリフトで前記クレーンから降ろし、各コンテナハウスを配置するための前記床上の所望の位置まで各コンテナハウスを輸送することと、
３）各コンテナハウスを前記床のツイストロック装置上へ降ろし、前記コンテナを前記床にツイストロックでロックすることと、
４）各コンテナハウスを、
ａ）各コンテナハウスのフレームの上側面に埋め込まれた天井梁又は屋根梁を引き出すことと、
ｂ）前記フレームの下側面に埋め込まれた床梁を引き出すことと、
ｃ）前記床板を前記床梁の上に載るように前記フレームの側面から引き下ろすことと、
ｄ）前記天井板又は屋根板を前記コンテナフレームの側面から前記天井梁又は屋根梁に対して押し上げることと、
ｅ）前記天井板又は屋根板と前記床板との間に仮設の柱を配置することと、
ｆ）前記コンテナフレームに埋め込まれた予め組み立てられた角型「Ｕ」字形壁ユニットを引き出すことと、
ｇ）シャックルが取り付けられたワイヤー又はケーブルで前記天井梁又は屋根梁を前記床梁に連結することと、
ｈ）前記予め組み立てられた角型「Ｕ」字形壁ユニットが前記天井板又は屋根板と前記床板との間にしっかりと挟まれるように前記シャックルを締めることと、
ｉ）各コンテナハウスの前記メインフレームから引き出された各コンテナハウスの部分に剛性を与えるために、前記「Ｕ」字形壁の間及び各コンテナハウスの全長にわたって鋼製ロッドを通すことと
によって組み立てることと
を含む方法。
【請求項３８】
メガストラクチャーを、前記メガストラクチャーに掛かるワイヤーメッシュの方式で地震及び暴風に対して保護する方法であって、
大フレームを含むメガストラクチャーの各々に対して、小フレームを各メガストラクチャー内に挿入することと、
前記メガストラクチャーの前記大フレームにワイヤーメッシュを掛けることであって、前記ワイヤーメッシュはケーブルをさらに備え、
それにより前記小フレームは、複数箇所において前記大フレームから突出するダンパーに前記ワイヤーメッシュが連結された状態で、前記ケーブルを支持することと、
各メガストラクチャーを別のメガストラクチャーへ、複数箇所において前記ダンパーで連結することと
を含む方法。
【発明の詳細な説明】
【技術分野】
【０００１】
本発明は、車台又はトレーラーに載せて、トラック又はトラクターでその設置場所まで牽引することができるプレハブコンテナハウスに関する。
【０００２】
また、このハウスは、クレーンやフォークリフトなどの適切な機器を使って、コンテナ船、鉄道車両、及びトラクタートレーラーに載せ降ろしすることができる。
【背景技術】
【０００３】
仮設ハウス又は仮設住宅用のプレハブハウスが、特許文献１において組み立て式住居として提案されている。このようなプレハブハウスは、床部材や屋根部材などのハウジングフレーム部材と、壁部材などの間仕切り部材で建てられる。プレハブハウスは建設地、すなわち設置場所に運ばれる。これらの部材は次いで、専門労働者、例えば、大工やレンガ職人が事前に建設地で作成した基礎の上に組み立てられる。
【０００４】
このようなプレハブハウスは解体に時間がかかり、一度建てられると、プレハブハウスを建設地から除去することは容易ではない。
【０００５】
同様に、任意の設置場所に移動できる住居として使用されるトレーラーハウスが、特許文献２において提案されている。このようなトレーラーハウスは、所定の間取りで予め組み立てられ、トレーラートラックを用いて牽引され、設置場所まで移動される。目的地で、トレーラーハウスは住居として使用される。
【０００６】
しかしながら、この種のプレハブハウスは、プレハブハウスが建設地に固定されて移動することができないため不便である。また、住居を拡張するには、いくつかの部材を組み立てて既存の部材、すなわち既に組み立てられた部材に追加する必要がある。したがって、拡張工事は厄介である。
【０００７】
その一方で、トレーラーハウスは移動可能であり、その目的地で組み立てる必要はない。しかしながら、トレーラーハウスは既に組み立てられて建物になっているので、トレーラーハウスのサイズは可動性の点で制限され、トレーラーハウスを広々とした建物として機能させることは不可能である。また、トレーラーハウスは拡張することができないので、不便な居住空間となる。
【先行技術文献】
【特許文献】
【０００８】
【特許文献１】特許出願公開第２００５−１５５０１２号公報
【特許文献２】実用新案登録第３１２７５３２号公報
【発明の概要】
【発明が解決しようとする課題】
【０００９】
本発明の目的は以下のものを含む。
【００１０】
（１）任意の場所に移動することができ、面倒な組み立て作業の量を最小限に減らすことができ、且つ、たった１つのユニットに基づいて２つの違う方法で居住空間をほぼ３倍に拡張することができるプレハブコンテナハウスを提供する。特定の実施形態において、ハウスは、予め組み立てられた角型（直角に交わる）「Ｕ」字形の壁が天井板と床板の間に挟まれるように設計されている。このデザインは、天井ロッド又は天井梁と床ロッド又は床梁を互いに結合して締め付けるためのケーブル及びシャックルの方式と組み合わせた場合に、またさらに前記壁を鋼棒で互いに垂直に保持することによって、地震及び暴風に高い抵抗力がある。
【００１１】
（２）このようなハウスをさらに地震及び暴風の被害を受けないようにする、ハウス用の基礎を提供する。
【００１２】
（３）何百何千ものこれらのハウスがたった１つの場所に配置されることを可能にする、地震及び暴風耐性のメガストラクチャー（超構造体）を提供する。
【課題を解決するための手段】
【００１３】
本発明の第１の態様は、設置場所へ輸送可能又は移動可能な本体と、本体に収容され、本体と共に設置場所へ輸送又は移動され、且つ拡張して組み立てるために設置場所で本体から引き出されるように構成されたハウス形成体とを備えるプレハブコンテナハウスを提供することである。
【００１４】
本体は、車台に載せたときにトレーラートラックで牽引することができるコンテナ型メインフレーム部材を含む。ハウス形成体は、メインフレーム部材に収容され、設置場所でメインフレーム部材から引き出されてハウスへと組み立てられる複数の住宅形成部材を含む。メインフレーム部材は、それぞれが床と天井を形成する一対の上方及び下方水平フレームと、各々が壁を形成するように水平フレームの端部で水平フレームを連結する一対の垂直フレームとで箱形に形成され得る。或いは、予め組み立てられた角型「Ｕ」字形壁ユニットを形成し、メインフレーム部材に埋め込んでもよい。この「Ｕ」字形壁ユニットは、引き出されて床と天井との間に挟み込まれることのみを必要とする。住宅形成部材は、床板と、天井板と、壁パネルと、バス・トイレユニットと、キッチンユニットとを含み得る。メインフレーム部材は、メインフレーム部材から引き出されて設置場所で組み立てられる床板を支持する床支持フレーム（梁）と、メインフレーム部材から引き出されて設置場所で組み立てられる天井板を支持する天井支持フレーム（梁）とを含む、サブフレーム部材を収容し得る。
【００１５】
サブフレーム部材は、メインフレーム部材を補強するように一対の水平フレームの間に設けられた複数の補強柱を含み得る。
【００１６】
床支持フレーム（梁）と天井支持フレーム（梁）は、水平メインフレームから外側に引き出され得る。
【００１７】
高層住宅を形成するために、２つ以上のハウス本体を積み重ねてもよい。
【００１８】
床板と天井板は重ね合わせて一対の水平フレームの間に収容され、いくつかの壁パネルは垂直フレームの対応するものと重ね合わせて収容されてもよく、残りの壁パネルは重ね合わせて垂直フレームの間の中間位置に収容されてもよい。或いは、壁パネルは、角型「Ｕ」字形状に予め組み立てられて垂直フレームの間の中間位置に収容され、壁がメイン水平フレームから引き出されて床と天井との間に挟み込まれることのみを必要としてもよい。
【００１９】
また、プレハブコンテナハウスは、その上にプレハブコンテナハウスを取り付けるために設置場所に設置される基礎体から構成される。
【００２０】
設置用基礎体は、２組のダンパーで支持された棒体と共に地中に埋設される埋設管体を含み、棒体に対して垂直な一方の組のダンパーと、約４５度の角度で棒体の下部にある他方の組のダンパーは、棒体の先端部分が地面から突出する状態で、棒体を埋設管体内に垂直に保持する。この管体の尾部すなわち反対側の端部では、鋼製リムが管体に溶接され、鋼製リムにヒンジにより蓋が取り付けられている。或いは、蓋は管体に直接溶接されてもよい。
【００２１】
埋設管体内の棒体は、ダンパーにより棒体内に支持される。埋設管体は、中空内部を有する周壁部と、管体の下端に溶接された鋼製リングと、周壁部の下端にヒンジにより取り付けられ、下端でカバーが開閉することを可能にする蓋とを含む。或いは、下端にある蓋は、管体に溶接される。上方固定カバー本体には、カバー本体の内側と管体の周壁部の上端との間にゴム引きＯ−リングが設けられている。また、カバー本体と棒体との間にもＯ−リングが設けられている。基礎の代替的な実施形態は、ダンパーによって支持される棒体と、カバー本体の内側と棒体との間のＯリングとを有する管体を含むが、管体に溶接された蓋と、棒体に溶接されたカバーとを有する。
【００２２】
棒体は桿状（ロッド状）棒本体を含み、桿状棒本体は、プレハブコンテナハウスを取り付けるために桿状棒本体の先端部に形成された取り付け面を有する。また、棒体は、埋設管体の内部で棒本体を支持する２組のダンパー、棒体に対して垂直な一方の組と、約４５度の角度で棒体の下部にある他方の組とを含む。
【００２３】
ダンパーは、棒本体の外周に固定されたリング状の接続部を含み、ダンパーの一端が接続部に固定又は溶接され、ダンパーの他端が周壁部の内壁により支持される。
【００２４】
管体は、管体のために穴が掘られた地面に配置される。必要に応じて、管体が挿入される前に穴の側面が崩れ落ちるのを防止するために、穴の側面に液体セメントを吹き付けることができる。
【００２５】
メインフレーム部材は、床と天井を形成する一対の上方及び下方水平フレームと、各々が壁を形成するように水平フレームの端部で水平フレームを連結する一対の垂直フレームとで箱形に形成され得る。代替案として、壁は、水平フレームから壁を引き出して床と天井との間に挟み込むことのみを必要とする角型「Ｕ」字形に予め組み立てられ得る。
【００２６】
住宅形成部材は、床板と、天井板と、壁パネルと、バス・トイレユニットと、キッチンユニットとを含む。
【００２７】
壁パネルは、平面視で角型「Ｕ」字形に前もって形成された、すなわち予め組み立てられた、第１壁パネルと、第２壁パネルと、第３壁パネルとを有するユニット壁を含む。
【００２８】
メインフレーム部材は、床板と天井板を支持するように設置場所でメインフレーム部材の上部及び下部から引き出される、１つ又は複数の支持フレーム又は梁を含み得る。
【００２９】
床板は、メインフレーム部材の下方水平フレームに回転可能に支持されることができ、組み立て時に支持フレーム又は梁の上に広げられる。
【００３０】
天井板は、メインフレーム部材の上方水平フレームに回転可能に支持されることができ、組み立て時に支持フレーム又は梁の上に広げられる。
【００３１】
複数のプレハブコンテナハウスが、設置場所で構造物へと建造され又は組み立てられてもよく、３階以上の高さに積み重ねられてもよい。実際に非常に多くのコンテナハウスをたった１つのスペースに配置する必要がある場合、メガストラクチャーはこのために使用される。メガストラクチャーは、非常に多くのプレハブコンテナハウスを収容するために、地震及び暴風に抵抗力があるように設計された鉄骨構造である。メガストラクチャーのフロア間の移動を可能にするために、階段とエレベーターとを有する階段構造又は階段室がメガストラクチャーに取り付けられる。メガストラクチャーは、地面から垂直に設けられた複数の柱部材と、柱部材と共にプレハブコンテナハウスを収容するスペースを画定するために、柱部材を連結し、柱部材と共にグリッド状構造に組み立てられる梁部材とを含む。また、メガストラクチャーは床を含み、この床に、配置されたプレハブコンテナハウスが取り付けられる。コンテナ取り付け部、例えば、ツイストロック装置が床に取り付けられる。床板は梁部材によって支持される。
【００３２】
梁部材は、柱部材と共にフレームワークを形成するフレームワーク梁部材と、フレームワーク梁部材の間に連結されて床を支持するコンテナ支持梁部材とを含み得る。床の各々は、プレハブコンテナハウスが取り付けられるコンテナ取り付け部、例えば、ツイストロック装置と、コンテナ取り付け部に隣接する廊下形成部とを含み得る。
【００３３】
階段構造又は階段吹き抜けは、柱部材と、梁部材と、柱部材及び梁部材によって画定されるスペースに設けられる階段及び／又はエレベーターユニットとを含み得る。
【００３４】
メガストラクチャーは、ストラクチャーの外周部にストラクチャーの側面を覆う保護ネットを有してもよい。保護ネットは、メガストラクチャーが地震及び暴風に耐えるのを支援するために、メガストラクチャーの柱部材及び梁部材に取り付けられたダンパーに取り付けられる。
【００３５】
保護ネットはそれ自体、上述した床及び階段構造を有するフレームワーク内に建造された別個のフレームワークに取り付けられる。
【００３６】
メガストラクチャーは互いに水平方向に向かい合う２つの同一構造物から構成される。メガストラクチャーを組み立てるために、クレーンが２つの同一対のメガストラクチャーをまたいで上部に配置される。クレーンは、ストラクチャーに沿って配置された軌道上で前後に移動し、プレハブコンテナハウスを地盤面にあるトラクタートレーラーから吊り上げ又は下ろす。フォークリフトが、クレーンからプレハブコンテナハウスを受け取り、床上のハウスを取り付ける場所にコンテナハウスを運ぶ。
【００３７】
互いに同一であり且つ互いに水平方向に向かい合ういくつかのメガストラクチャーを建造して取り付けることにより、また、同一組のメガストラクチャーを軌道で連結することにより、たった１つのクレーンが１組のメガストラクチャーから別のものに移動することができる。同一の複数組のメガストラクチャーを建造し、無限に並べて連結することができ、これにより、メガストラクチャーは、住宅に利用可能なスペースが限られた都市部におけるプレハブコンテナハウスの理想的な利用法となる。
【００３８】
本発明の第２の態様は、箱形を有するメインフレーム部材であって、矩形板形を有する一対の垂直フレームと、各々が一対の垂直フレームに連結された矩形板形を有する上方及び下方水平フレームと、メインフレーム部材の少なくとも１つの側面にある開口部とを含むメインフレーム部材と、メインフレーム部材の下部からメインフレーム部材の外側に水平方向に延びるように構成された可動床板と、メインフレーム部材の上部からメインフレーム部材の外側に水平方向に延びるように構成された可動天井板とを備えるコンテナハウスを提供することである。
【００３９】
可動壁パネルが、可動床板及び可動天井板が水平方向に延ばされた状態で、垂直フレームの１つから可動床板と可動天井板との間に引き出されるように設けられている。
【００４０】
可動床板は垂直位置と水平位置との間を水平軸で旋回可能にメインフレーム部材の下部に支持され、また可動床板は水平位置においてメインフレーム部材の開口部を閉じるカバーとして機能し得る。
【００４１】
可動天井板は、水平軸で旋回可能にメインフレーム部材の上部に支持されている。
【００４２】
可動壁パネルは、各々が垂直軸で旋回可能に可動壁パネルの端部に支持された外壁パネルを含む。
【００４３】
コンテナハウスは、水平方向に延ばされた可動床板を支持するようにメインフレーム部材の下部から可動床板の下に突出可能な床支持フレームからさらに構成される。
【００４４】
コンテナハウスはまた、水平方向に延ばされた可動天井板を支持するようにメインフレーム部材の上部から可動天井板の上に突出可能な天井支持フレームから構成される。
【００４５】
コンテナハウスは、水平軸で旋回可能にメインフレーム部材の下部に支持されたベッドユニットから構成される。
【００４６】
予め角型「Ｕ」字形に組み立てられた可動壁パネルは、床板と天井板との間に挟まれるように可動床板上に摺動可能に設けられてもよい。
【００４７】
可動天井板は垂直位置と水平位置との間で水平軸に関して旋回可能にメインフレーム部材の上部に支持され、また可動天井板は水平位置においてメインフレーム部材の開口部を閉じるカバーとして機能し得る。本発明の第３の態様は、箱形を有するメインフレーム部材であって、矩形板形を有する一対の垂直フレームと、各々が一対の垂直フレームに連結された矩形板形を有する上方及び下方水平フレームと、メインフレーム部材の少なくとも１つの側面にある開口部とを含むメインフレーム部材を備えるコンテナハウスを提供することである。
【００４８】
可動床板がメインフレーム部材の下部からメインフレーム部材の外側に水平方向に延びるように構成され、可動床板は垂直位置と水平位置との間で水平軸に関して旋回可能にメインフレーム部材の下部に支持され、また可動床板は水平位置においてメインフレーム部材の開口部を閉じるカバーとして機能し、可動天井板はメインフレーム部材の上部からメインフレーム部材の外側に水平方向に延びるように構成され、可動天井板は水平軸に関して旋回可能にメインフレーム部材の上部に支持され、予め組み立てられた角型「Ｕ」字形状の可動壁パネルが、可動床板と可動天井板が水平方向に延ばされた状態で、垂直フレームの１つから可動床板と可動天井板との間に引き出されるように設けられ、予め組み立てられた角型「Ｕ」字形状の可動壁パネルは床板と天井板との間に挟まれるように可動床板上に摺動可能に設けられ、可動壁パネルは各々が垂直軸に関して旋回可能に可動壁パネルの端部に支持された外壁パネルを含み、床支持フレーム又は梁が水平方向に延ばされた可動床板を支持するようにメインフレーム部材の下部から可動床板の下に突出可能であり、天井支持フレーム又は梁が水平方向に延ばされた可動天井板を支持するようにメインフレーム部材の上部から可動天井板の上に突出可能である。
【発明の効果】
【００４９】
上記の態様及び構成によれば、プレハブコンテナハウスを任意の場所に移動することができる。具体的には、本体は、車台に載せてトラクターやトラックにより設置場所に輸送又は移動される。ハウスは、クレーンやフォークリフトなどの適切な機器を使って、コンテナ船に載せたり降ろしたりすることができる。本体内に収容されたハウス形成体は、ハウス、或いは、オフィス、店、診療所、又はホテルの部屋などの事業所を形成するように引き出され、拡張され、組み立てられる。
【００５０】
設置場所で行う唯一のことは、ハウス形成体を本体から引き出し、ハウス形成体を拡張して組み立てることであり、目的地での面倒な組み立て作業が最小限に抑えられる。実際には、予め角型「Ｕ」字形に組み立てられた壁のデザインを有するハウスの場合、元のメインフレームから完全に組み立てられたハウスへとハウスを拡張して組み立てる作業を、３人が約３時間で完了することができると推定される。
【００５１】
メガストラクチャーでは、スペースを拡大できるように、ハウス本体を積み重ねることができる。また、非常に多くのコンテナハウスをたった１つの場所に配置する必要性がある場合、メガストラクチャーは、積み重ねたハウス本体を用いて、この必要性を無限に満たすのに役立つであろう。
【００５２】
ハウスを移転する必要性がある場合、クレーン又はフォークリフトにより取り付け基礎から家を取り外すこと、及び、それらをトラクタートレーラー又はフラットラック上に配置することによって、この必要性を容易に満たすことができる。プレハブハウスは、その後、再利用のために別の場所に運ぶことができる。
【００５３】
プレハブハウスを運び去った後、基礎（最初に棒体、次に管体）を引き出すことができ、土壌中に有害又は環境に優しくないとみなされる瓦礫を残さない。
【００５４】
また、メガストラクチャーに配置された１つ又は複数又は全てのハウスを移動する必要性がある場合、地盤面で待っている車台又はトレーラーにハウスを降ろすクレーンを使用することによって、このような必要性を比較的容易に満たすことができる。
【図面の簡単な説明】
【００５５】
【図１】図１は、本発明の実施例１に係る可動プレハブコンテナハウスの斜視図であり、可動コンテナハウスは拡張状態にある。天井と床梁を連結する、シャックルで結合されたワイヤー又はケーブルが示されている。
【図２】図２は、非拡張状態にある実施例１に係る可動プレハブコンテナハウスの斜視図である。
【図３】図３は、非拡張状態にある実施例１に係る可動プレハブコンテナハウスの水平断面図である。
【図４】図４は、図３の矢印ＩＶ−ＩＶで示される方向に沿った断面図である。
【図５】図５は、図４の矢印Ｖ−Ｖで示される方向に沿った、その可動プレハブコンテナハウスの断面図である。
【図６】図６は、拡張状態にある実施例１に係る可動プレハブコンテナハウスの水平断面図である。
【図７】図７は、図６の矢印ＶＩＩ−ＶＩＩで示される方向に沿った断面図である。
【図８】図８は、図６の矢印ＶＩＩＩ−ＶＩＩＩで示される方向に沿った断面図である。
【図９】図９は、床支持フレーム又は梁が外側に引き出されるステップを示す斜視図である。
【図１０】図１０は、図９のステップに続くステップを示す斜視図である。
【図１１】図１１は、図１０のステップに続くステップを示す斜視図であり、引き出された天井板を支持するための天井支持フレーム又は梁を示す。
【図１２】図１２は、図１１のステップに続くステップを示す斜視図である。
【図１３】図１３は、図１２のステップに続くステップを示す斜視図である。
【図１４】図１４は、図１３のステップに続くステップを示す斜視図である。
【図１５】図１５は、出入り口が形成されるステップを示す斜視図であり、このステップは図１４のステップに続くものである。
【図１６】図１６は、可動プレハブコンテナハウスが設置場所に据え付けられた状態を示す斜視図である。
【図１７】図  １７は、２階建て住宅が形成された状態を示す斜視図である。
【図１８】図  １８は、非拡張状態にある本発明の実施例３に係る可動プレハブコンテナハウスの水平断面図である。
【図１９】図１９は、図１８の矢印ＸＩＸ−ＸＩＸで示される方向に沿った断面図である。
【図２０】図２０は、拡張状態にある図１８の可動プレハブコンテナハウスの水平断面図である。
【図２１】図２１は、図２０の矢印ＸＸ−ＸＸで示される方向に沿った断面図である。
【図２２】図２２は、実施例４に係る地中に埋設された設置用基礎体に設置された可動プレハブコンテナハウスを示す斜視図である。
【図２３】図２３は、地中に埋められた２つの設置用基礎体（ａ）及び（ｂ）を、２箇所で溶接されたダンパーを有する棒体と共に示す断面図である。
【図２４】図２４は、設置用基礎体を埋め込むために地中に掘られた穴を示す断面図である。基礎が挿入される前に穴の側面が崩れ落ちるのを防止するために壁の側面に液体セメントを塗布してもよい。
【図２５】図２５は、地中に設けられた穴に埋設管体が挿入された状態を示す断面図である。
【図２６】図２６は、可動プレハブコンテナハウス用のメガストラクチャーを、各メガストラクチャーが互いに水平方向に並べられた状態で示す斜視図である。
【図２７】図２７は、メガストラクチャーに床が配置された状態を示す斜視図である。
【図２８】図２８は、可動プレハブコンテナハウスがメガストラクチャーのそれぞれの床に形成されたスペースに収容された状態を示す斜視図である。
【図２９】図２９は、互いに水平方向に向かい合い、ストラクチャーを地震及び暴風に抵抗力があるようにするためにワイヤーメッシュで包まれた２つのメガストラクチャーを示す斜視図である。２組のフレームが描かれ、内側にある１組のフレームワイヤーメッシュを支持し、外側にある１組のフレームは床及び階段構造を支持する。
【図３０】図３０は、複数のメガストラクチャーが組み立て中である状態を示す斜視図である。
【図３１】図３１は、実施例６に係る可動プレハブコンテナハウスを示す断面図である。
【図３２】図３２は、可動プレハブコンテナハウスが設置場所で拡張されて組み立てられた状態を示す断面図である。
【図３３】図３３は、床板と天井板が回転部によって水平フレームに連結され、メインフレームワーク部材に収容された状態を示す断面図である。
【図３４】図３４は、床板と天井板が回転部によって拡張された状態を示す断面図である。
【図３５】図３５は、ユニット壁がメインフレーム部材から引き出され、ストッパー部によって引き出し位置に配置された状態を示す断面図である。
【図３６】図３６は、天井と床を支持するフレーム又は梁が水平フレームから引き出された状態を示す斜視図であり、この状態において、予め組み立てられた角型「Ｕ」字形状の壁を有する可動プレハブコンテナハウスは設置場所に設置され、壁が床板と天井板との間に挟まれている。床梁と天井梁を互いにシャックルで結合するワイヤーも示されている。
【図３７】図３７は、可動プレハブコンテナハウスが設置場所に設置され、選択された床板と天井板が天井と床を支えるフレーム又は梁上に広げられ、ワイヤー又はケーブルが２つの梁を互いにシャックルで結合した状態を示す斜視図である。
【図３８】図３８は、可動プレハブコンテナハウスが設置場所に設置され、選択された天井板と床板が広げられた状態を示す斜視図であり、各組のプレハブ壁の間及び同様にハウス壁の全長に延びるプレハブ「Ｕ」字形状壁に剛性を与えるパイプが示されている。
【図３９】図３９は、可動プレハブコンテナハウスが設置場所に設置され、予め組み立てられた角型「Ｕ」字形状壁がメインフレーム部材から引き出されて天井板と床板との間に挟まれた状態を示す斜視図であり、「Ｕ」字形状壁の各組に剛性を与えるパイプと、ハウス壁の全長に剛性を与えるパイプとが示されている。ハウスの拡張された床及び天井ベースが、プレハブ「Ｕ」字形状壁を引き出すための追加の支持体を提供する。
【図４０】図４０は、可動プレハブコンテナハウスが設置場所に設置され、予め組み立てられた「Ｕ」字形ユニット壁がメインフレーム部材から引き出され、外側に引き出された床支持梁と天井支持梁によって支持される天井板と床板との間に挟まれている状態を示す斜視図であり、ハウス壁の全長に剛性を与えるパイプが示されている。
【図４１】図４１は、ワイヤーメッシュを支持する２組の内側フレームの斜視図であり、ワイヤーメッシュは地震及び暴風に抵抗力がある支持を外側フレームに提供する。メインフレームから突出する小梁（ローラーを有する、図４３参照）が注目され、この小梁に沿ってワイヤーメッシュを支持するメインケーブルが移動する。
【図４２】図４２は、４組のフレームの斜視図である。内側の組の（２つの）フレームはワイヤーメッシュを支持し、一方、外側の組の（２つの）フレームはコンテナハウスを配置して固定する床を支持する。
【図４３】図４３は、内側及び外側フレームで作られたメガストラクチャーの側面の拡大図である。
【図４４】図４４は、同様に構成されたコンテナハウスの対応ブラケットに対して取り付けられ、ツイストロックで固定されるコンテナハウス用の４つのブラケットを有するメガストラクチャーの床の拡大図である。
【図４５】図４５は、走行クレーンが載る縁に沿って敷かれたトラックを備えて、互いに水平方向に建設された２組のメガストラクチャーの斜視図である。影付きのボックスは床に取り付けられたコンテナハウスである。
【発明を実施するための形態】
【００５６】
［実施例１］
図１及び２は各々、本発明の実施例１に係る可動プレハブコンテナハウス１の全体構成の斜視図を、それぞれ開いた（又は引き出された）形態及び閉じた形態で示す。
【００５７】
本実施例の可動プレハブコンテナハウス１は、本体Ａと、ハウス形成体Ｂとを含む。本体Ａは設置場所に輸送又は移動されることができる。ハウス形成体Ｂは、本体に収容（保持）され、本体Ａと共に設置場所に輸送又は移動され、その後、拡張して設置場所に据え付けるために、本体Ａから引き出される。
【００５８】
可動プレハブコンテナハウス１は、車台（台車）に連結されたトレーラートラック（セミトレーラートラック、図示せず）によって牽引される。車台４の後側の下部には、車台４を牽引することができるように複数の車輪５が取り付けられている。車台４の前側の下部には、支持ブロック６が取り付けられている。トレーラートラックと車台４との連結は、トレーラートラックのキングピンに車台４の連結器を連結することによって行われる。可動プレハブコンテナハウス１は、車台４に載せられ、ボルト等で車台４に固定される。このようにして、可動プレハブコンテナハウス１は、トレーラートラックに牽引される状態になる。可動プレハブコンテナハウス１は、２０フィートコンテナ、４０フィートコンテナ、４５フィートコンテナ、又は５３フィートコンテナのサイズであることができる。しかしながら、可動プレハブコンテナハウス１の寸法は、これらのサイズに制限されない。
【００５９】
目的地の設置場所で、車台４はトレーラートラックから分離される。したがって、可動プレハブコンテナハウス１は、車台４に支持され、静止している。その後、車台４に支持され又は車台４から降ろされた可動プレハブコンテナハウス１は、拡張されて住居へと組み立てられる。以下、前者の場合のように、車台４に支持された可動プレハブコンテナハウス１が拡張されて住居に組み立てられる実施例について説明する。また、「ハウス」という用語は、本明細書においては、オフィス、店舗、診療所、又はホテルの部屋などの事業所という意味を含む。「住宅（又は住居）」という用語は、本明細書においては、この実施例を例として説明するためだけに使用される。したがって、可動プレハブコンテナハウス１は、拡張されて、オフィス、店舗、診療所、又はホテルの部屋などの事業所に組み立てられ得る。
【００６０】
図３〜５は、住宅に組み立てられる（拡張される）前の可動プレハブコンテナハウス１の内部を示す断面図である。図６〜８は各々、住宅に組み立てられた（拡張された）可動プレハブコンテナハウス１の内部を示す断面図である。図９〜１６は、組み立て（拡張）の順序を示す斜視図である
可動プレハブコンテナハウス１の場合、本体Ａはメインフレーム部材１０を含み、ハウス形成体Ｂは住宅形成部材３０を含む。さらに、この実施例の可動プレハブコンテナハウス１は、サブフレーム部材２０を含む。
【００６１】
この実施例では、後述するサブフレーム部材２０と住宅形成部材３０とが拡張され、それによりハウス１が形成される。ハウス１は、中央キッチンスペース５１と、キッチンスペース５１の前後両側に位置する２つのバスルーム５２、５２と、キッチンスペース５１の左右両側に位置する２つのリビングスペースと、バスルーム５２、５２の左右両側に位置する４つのベッドルーム５４とを含む。
【００６２】
図２〜５に示すように、メインフレーム部材１０は、一対の上方及び下方の矩形板状水平フレーム１１、１２と、一対の水平フレーム１１、１２をそれらの各端部で連結する一対の矩形板状垂直フレーム１３、１４とから形成される。一対の上方及び下方水平フレーム１１、１２と、一対の前方及び後方垂直フレーム１３、１４は、メインフレーム部材１０がコンテナのような形状を形成するように連結されている。したがって、メインフレーム部材１０は、通常のコンテナとしてトレーラートラックで輸送することができる。
【００６３】
一対の水平フレーム１１，１２は、上方水平フレーム１１と下方水平フレーム１２とから形成されている。これらの水平フレーム１１、１２は所定の幅と所定の長さとを有する。幅は、例えば、キッチンスペース５１の幅にほぼ等しく、長さは、例えば、キッチンスペース５１とキッチンスペース５１の両側にある２つのリビングスペース５３，５３の全長にほぼ等しい。これらの水平フレーム１１，１２は各々、水平方向に長い形状を有する。さらに、水平フレーム１１及び１２は互いに平行に配置されている。ここで、上方水平フレーム１１はハウス１の天井を形成し、下方水平フレーム１２はハウス１の床を形成する。
【００６４】
垂直フレーム１３、１４は、水平フレーム１１，１２をその前端で垂直方向に連結する前方垂直フレーム（トレーラートラックに載せたとき前側に配置される垂直フレーム）１３と、水平フレーム１１，１２をその後端で垂直方向に連結する後方垂直フレーム（トレーラートラックに載せたとき後側に配置される垂直フレーム）１４とから形成されている。前方垂直フレーム１３はハウス１の前壁を形成し、後方垂直フレーム１４はハウス１の後壁を形成する。
【００６５】
上記のように、メインフレーム部材１０がその両側面に開口部１０ａ（図１０参照）を有する全体として（長方形の）箱形を形成するように、メインフレーム部材１０は、垂直フレーム１３、１４を用いて、前後方向に長い水平フレーム１１，１２の両端を連結することによって形成される。
【００６６】
ハウス１では、水平フレーム１１、１２と垂直フレーム１３，１４から外殻が形成される。したがって、水平フレーム１１、１２と垂直フレーム１３、１４は所定値以上の強度を有する材料から形成される。材料としては、例えば、平鋼板や波形鋼板などの所定の厚さを有する板、樹脂板、上記鋼板等の間に断熱材を入れたサンドイッチ板、又は、上記鋼板の表面に断熱材を積層した積層板を選択することができる。断熱材の使用により、ハウス１の内側と外側を互いに熱的に絶縁し、それによりハウス１の快適性を向上させることができる。
【００６７】
サブフレーム部材２０は、複数の床支持フレーム（梁）２１と複数の天井支持フレーム（梁）２２とを備える。床支持フレーム２１と天井支持フレーム２２は鋼鉄等からなる梁である。
【００６８】
図２に示すように、床支持フレーム２１は、下方水平フレーム１２の幅方向（図２のＸ軸方向）における両側に配置され、天井支持フレーム２２は、上方水平フレーム１１の幅方向における両側に配置されている（ただし、トレーラートラック側から見て左側にある床支持フレーム２１と天井支持フレーム２２の両方が図面では省略されている）。複数の床支持フレーム２１が、水平フレーム１２の上部にその長手方向（図２のＹ軸方向）に配置されている。複数の天井支持フレーム２２が、上方水平フレーム１１の下部にその長手方向に配置されている。収容されているとき、床支持フレーム２１と天井支持フレーム２２は、対応する下方水平フレーム１２又は上方水平フレーム１１から突出しないように配置される。すなわち、床支持フレーム２１と天井支持フレーム２２は、収容状態ではメインフレーム部材１０に収容され、図１に示すように、使用するときに外側に引き出すことができる。
【００６９】
複数の床支持フレーム２１の各々は、長手方向の端部に非図示のピボットを有し、ピボットで下方水平フレーム１２に回転可能に連結される。図９に示すように、床支持フレーム２１の各々は、ピボットを中心に、下方水平フレーム１２から外側に引き出されるようになっている。このように引き出された床支持フレーム２１は、図１に示すように、互いに平行に水平方向に延びる。さらに、床支持フレーム２１は、引き出された床支持フレーム２１が外側に引き出された状態に保たれるように、ボルト、フック、ツイストロック等により回転を固定される。引き出されて固定された床支持フレーム２１は、後述する床板３１をその上に支持する。
【００７０】
同様に、複数の天井支持フレーム２２の各々は、長手方向の端部に非図示のピボットを有し、ピボットで上方水平フレーム１１に回転可能に連結される。図１１に示すように、天井支持フレーム２２の各々は、ピボットを中心に、上方水平フレーム１１から外側に引き出されるように回転する。このように引き出された天井支持フレーム２２は、図１に示すように、互いに平行に水平方向に延びる。さらに、天井支持フレーム２２は、引き出された天井支持フレーム２２を外側に引き出された状態に保つことができるように、ボルト、フック等により回転を固定される。引き出されて固定された天井支持フレーム２２は、後述する天井板３２を支持する。
【００７１】
サブフレーム部材２０は、さらに補強柱２３を含む。図８に示すように、補強柱２３は、上方水平フレーム１１と下方水平フレーム１２の間に垂直方向に配置される。さらに、図３及び６に示すように、補強柱２３は、上方水平フレーム１１と下方水平フレーム１２の長手方向に所定の間隔で配置される。補強柱２３は、上方水平フレーム１１と下方水平フレーム１２、すなわち、メインフレーム部材１０をその長手方向において補強するように、上記のように配置される。したがって、メインフレーム部材１０が長く作られた場合であっても、メインフレーム部材１０は、上方水平フレーム１１と下方水平フレーム１２においてその中央部に生じる湾曲も撓みもなく、その箱形をしっかりと維持することができる。この実施例では、補強柱２３は、ハウス１のそれぞれのスペースが仕切られる位置に配置される。後述する住宅形成部材３０は、補強柱２３を案内点として利用しながら、メインフレーム部材１０に配置される。本体（コンテナ）の全体的な強度と構成（いくつの本体又はコンテナを本体上に積み重ねるか）に留意したエンジニアリング次第では、補強柱は、柱がコンテナの縁又は側面に移動されるか或いは除去され、それによりコンテナ内に遮るもののない開けた空間又はほとんどそのような空間を提供することができるように設計される。
【００７２】
住宅形成部材３０は、可動床板３１（３１ａ、３１ｂ）と、可動天井板３２（３２ａ、３２ｂ）と、可動壁パネル３３（３３ａ〜３３ｈ）と、バス・トイレユニット３４と、キッチンユニット３５と、ベッドユニット３６とを含む。
【００７３】
図５に示すように、床板３１は、メインフレーム部材１０の右側に位置する右側可動床板３１ａと、その左側に位置する左側可動床板３１ｂとから形成される。同様に、天井板３２は、メインフレーム部材１０の右側に位置する右側可動天井板３２ａと、その左側に位置する左側可動天井板３２ｂとから形成される。
【００７４】
この実施例では、右側床板３１ａ、右側天井板３２ａ、左側床板３１ｂ、及び左側天井板３２ｂのＹ軸方向の長さは各々、メインフレーム部材１０の上方及び下方水平フレーム１１、１２のＹ軸方向の長さＬと実質的に同じである。その高さ（それらが拡張されたときの幅）は各々、メインフレーム部材１０の前側及び後側の垂直フレーム１３、１４の高さＨと実質的に同じである。したがって、右側床板３１ａ、左側床板３１ｂ、右側天井板３２ａ、及び左側天井板３２ｂは、これらの床板と天井板がメインフレーム部材１０によって形成される矩形開口部１０ａに適合するような寸法及び形状を有する。したがって、ハウス１を輸送する際、床板３１ａ、３１ｂはメインフレーム部材１０の開口部１０ａを閉じる蓋（カバー）として働く。これらの床板３１ａ、３１ｂと天井板３２ａ、３２ｂは、例えば、鋼板やアルミ板などの金属板、樹脂板、木製板等から形成される。
【００７５】
図５に示すように、ハウス１が拡張されていないままであるとき（拡張前）、上記形状及び寸法を有する右側床板３１ａと右側天井板３２ａは、右側床板３１ａと右側天井板３２ａが水平フレーム１１、１２の右側にある開口部１０ａ内で重なり合うように収容される。一方、左側床板３１ｂと左側天井板３２ｂは、左側床板３１ｂと左側天井板３２ｂが水平フレーム１１、１２の左側にある開口部１０ａ内で重なり合うように収容される。この実施例では、右側床板３１ａと右側天井板３２ａは、右側床板３１ａが右側天井板３２ａの外側に位置するように互いに重なり合い、左側床板３１ｂと左側天井板３２ｂは、左側床板３１ｂが左側天井板３２Ｂの外側に位置するように互いに重なり合っている（図３及び５）。このようにして、コンテナ型住宅の側壁を、輸送時に、補強することができる。これは、住宅の床板３１ａ、３１ｂが一般にその天井板３２ａ、３２ｂと比較して強固に形成されるためである。
【００７６】
右側床板３１ａ、左側床板３１ｂ、右側天井板３２ａ、及び左側天井３２ｂは上記のように重ね合わせられ、水平フレーム１１，１２の左側と右側に収容される。したがって、床板３１ａ、３１ｂと天井板３２ａ、３２ｂがさらに結合されていても、輸送中のハウス１（又はコンテナ）のサイズは小さく、コンパクトである。
【００７７】
ハウス１が拡張されるとき、重なり合った右側床板３１ａ、左側床板３１ｂ、右側天井板３２ａ、及び左側天井板３２ｂは外側に引き出される。この実施例では、可動床板３１ａ、３１ｂと可動天井板３２ａ、３２ｂはそのベース端にヒンジシャフト（図示せず）を含み、ヒンジシャフトはメインフレーム部材１０に挿入される。より詳細には、床板３１ａ、３１ｂの場合、ヒンジシャフトはメインフレーム部材１０の開口部の下にある部分に挿入される。一方、天井板３２ａ、３２ｂの場合、ヒンジシャフトはメインフレーム部材１０の開口部の上にある部分に挿入される。床板３１ａ、３１ｂと天井板３２ａ、３２ｂは、これらのヒンジシャフトを中心に旋回するように床板３１と天井板３２を回転又は揺動させることによって外側に引き出される。ちなみに、床板３１ａ、３１ｂと天井板３２ａ、３２ｂをメインフレーム部材１０で回転可能に支持するために、下部シャフトと上部のシャフトを、メインフレーム部材１０の開口部の上下にあるそれぞれの部分に設けることができ、それぞれのシャフト用の軸受を、床板３１ａ、３１ｂと天井板３２ａ３２ｂの基部に設けることができる。
【００７８】
壁パネル３３は、第１壁パネル３３ａ、第２壁パネル３３ｂ、第３壁パネル３３ｃ、第４壁パネル３３ｄ、第５壁パネル３３ｅ、第６壁パネル３３ｆ、第７壁パネル３３ｇ、第８壁パネル３３ｈ、及び、これらの壁パネル３３ａ〜３３ｈによって回転可能に又は揺動可能に（旋回可能に）支持される外壁パネル３７ａ〜３７ｈから形成される。
【００７９】
これらの壁パネル３３ａ〜３３ｈは各々、メインフレーム部材１０の前方垂直フレーム１３及び後方垂直フレーム１４の幅Ｗ及び高さＨと実質的に等しい幅及び高さを有するように形成されている。壁パネル３３ａ〜３３ｈは、床板３１ａ、３１ｂ及び天井板３２ａ、３２ｂと同様に、鋼板又はアルミニウム板などの金属板、樹脂板、木製板等から形成される。
【００８０】
第１壁パネル３３ａ（及びそれに連結される外壁パネル）と第２壁パネル３３ｂ（及びそれに連結される外壁パネル）がペアを形成し、重ね合わせられて前方垂直フレーム１３の側面にある補強柱２３の近くに配置される。同じように、第７壁パネル３３ｇ（及びそれに連結される外壁パネル）と第８壁パネル３３ｈ（及びそれに連結される外壁パネル）がペアを形成し、上で重ね合わせられて後方垂直フレーム１４の側面にある補強柱２３の近くに配置される。同様に、第３壁パネル３３ｃ（及びそれに連結される外壁パネル）と第４壁パネル３３ｄ（及びそれに連結される外壁パネル）がペアを形成し、第５壁パネル３３ｅ（及びそれに連結される外壁パネル）はと第６壁パネル３３ｆ（及びそれに連結される外壁パネル）がペアを形成する。ペアになった第３及び第４壁パネル３３ｃ及び３３ｄ（及びそれらに連結される外側パネル）と、ペアになった第５及び第６壁パネル壁パネル３３ｅ及び３３ｆ（及びそれらに連結される外側パネル）が重ね合わせられ、上方及び下方水平フレーム１１、１２をその中央部で支持する補強柱２３の近くに配置される（図３参照）。このように、これらのペアになった壁パネルが重ね合わせられ、メインフレーム部材１０に収容される。したがって、輸送中のハウス１（又はコンテナ）のサイズは小さく、コンパクトであり、標準サイズである。
【００８１】
図６に示すように、第１壁パネル３３ａ、第３壁パネル３３ｃ、第５の壁パネル３３ｅ、第７壁パネル３３ｇ（及びそれらに連結される外側パネル）は、メインフレーム部材１０の左側において外側に摺動可能に移動できる。より正確には、壁パネル３３の下縁及び上縁と係合可能なレールが可動床板３１（３１ａ、３１ｂ）の上面と可動天井板３２（３２ａ、３２ｂ）の下面に設けられている。したがって、メインフレーム部材１０から外側に引き出された壁パネル３３は、レールによって案内され、所定の位置に配置されるように可動床板３１（３１ａ、３１ｂ）と可動天井板３２（３２ａ、３２ｂ）との間に移動される。また、第２壁パネル３３ｂ、第４壁パネル３３ｄ、第６壁パネル３３ｆ、第８壁パネル３３ｈ（及びそれらに連結される外側パネル）は、メインフレーム部材１０の右側において外側に摺動可能に移動できる。前述したように、外壁パネル３７ａ〜３７ｈは回転可能に壁パネル３３ａ〜３３ｈに連結される。拡張されていないハウス１では、外壁パネル３７ａ〜３７ｈは、対応する壁パネル３３ａ〜３３ｈに重なるように畳まれている。図１及び６に示すように、この実施例では、各々が１枚の壁パネルに相当する外壁パネル３７ａ、３７ｂ、３７ｇ、及び３７ｈが、メインフレーム部材１０の前側及び後側に位置する第１壁パネル３３ａ、第２壁パネル３３ｂ、第７壁パネル３３ｇ、及び第８壁パネル３３ｈに回転可能に連結されている。一方、各々が２枚の壁パネルに相当する外壁パネル３７ｃ、３７ｄ、３７ｅ、及び３７ｆが、メインフレーム部材１０の長手方向における中央部に配置された第３壁パネル３３ｃ、第４壁パネル３３ｄ、第５壁パネル３３ｅ、及び第６壁パネル３３ｆに回転可能に連結されている。２つの外壁パネルの各ペア３７ｃ、３７ｄ、３７ｅ、又は３７ｆは、互いに反対方向に回転する。
【００８２】
ハウス１が拡張されるとき、外壁３７ａ〜３７ｈは各々外側に回転する。この回転によって、外壁３７ａ〜３７ｈはハウス１の壁を形成する。外壁３７ａ〜３７ｈは、鋼板又はアルミニウム板などの金属板、樹脂板、木製板等から形成される。
【００８３】
図３及び６に示すように、間仕切りパネル３８（３８ａ、３８ｂ）が、メインフレーム部材１０の上方及び下方水平フレーム１１、１２のその長手方向における中央部に配置されている。間仕切りパネル３８は、メインフレーム部材１０をその長手方向において複数のサブスペースに仕切る。メインフレーム部材１０の前側に位置する第１間仕切りパネル３８ａは、メインフレーム部材１０の前側にあるバスルーム５２を形成する。この前方バスルーム５２には、バス・トイレユニット３４が配置される。メインフレーム部材１０の後側に位置する第２間仕切りパネル３８ｂは、メインフレーム部材１０の後側にある別のバスルーム５２を形成する。この後方バスルーム５２には、別のバス・トイレユニット３４が配置される。さらに、バスルーム５２には、貯水・排水タンク４４が配置される。貯水・排水タンク４４は、２つの部分に分かれている。その上部は水の貯蔵タンクであり、その下部はトイレの排水タンクである。貯水・排水タンク４４を設けることにより、バス・トイレユニット３４が使用可能になる。
【００８４】
図３に示すように、２つのドアパネル３９ａが第１間仕切りパネル３８ａの近くに配置される。さらに、２つのドアパネル３９ｂが第２間仕切りパネル３８ｂの近くに配置される。図６に示すように、これらのドアパネル３９ａ及び３９ｂは、垂直軸を中心に回転可能にメインフレーム部材１０に支持される。したがって、ハウス１が拡張されるとドアパネル３９ａ、３９ｂが回転可能となり、それによってそれぞれのベッドルーム５４への入口が形成される。
【００８５】
この実施例では、４つのベッドルーム５４は四隅に設けられ、それぞれがその中に配置されたベッドユニット３６を含む。ベッドユニット３６は、メインフレーム部材１０の開口部の下にある部分に水平軸を中心に揺動可能に（旋回可能に）支持される。したがって、ハウス１が拡張されていない状態にあるとき（ハウス１が輸送されているとき）、ベッドユニット３６は水平位置（姿勢）に折り畳まされる。一方、ハウス１が拡張されると、ベッドユニットは、水平位置まで引き降ろされ、ベッドとして使用することができる。
【００８６】
この実施例では、キッチンユニット３５は、ハウス１の中央にあるキッチンスペース５１に配置される。キッチンユニット３５は、そこから引き出すことができるテーブル４１と椅子４２を含む（図６参照）。代替案として、キッチンユニット３５とは別に設けられたテーブル４１及び４２椅子が、使用時に、キッチンユニット３５に近接して設けられてもよい。
【００８７】
さらに、外部からハウス１への入口として、外壁パネル３７ｃ、３７ｄ、３７ｅ、及び３７ｆのいずれかに事前にドアを設けてもよい。さらに、図２に示すようにハウス１がメインフレーム部材１０の大きさに等しい大きさで使用される場合でも、外壁パネルや間仕切りパネルに事前に通路用のドアを設けることにより、仕切られたスペースに人が出入りすることが可能になる。
【００８８】
次に、図９〜１６を参照して本実施例の可動プレハブコンテナハウス１を拡張するためのステップを説明する。
【００８９】
図９は、車台４がトレーラートラック２から切り離される図２の状態の後に、どのように床支持フレーム２１がメインフレーム部材１０から外側に引き出されるかを示す。床支持フレーム２１の各々は、床支持フレーム２１がメインフレーム部材１０から外側に引き出されることができ、水平方向に延びるように、ピボットを中心に回転する。
【００９０】
こうして引き出された床支持フレーム２１はその位置に固定され、その後、（Ｘ軸方向における）左右の床板３１ａ、３１ｂが図１０に示すように外側に引き出される。左右の床板３１ａ、３１ｂは、下部に設けられたヒンジシャフトを中心に、床板３１ａ、３１ｂを外側下方に回転させることによって引き出される。引き出された左右の床板３１ａ、３１ｂは、床支持フレーム２１に支持され、水平方向に延びる（図１１参照）。
【００９１】
図１１は、図１０のステップに続くステップを示し、どのように天井支持フレーム２２の各々がメインフレーム部材１０から外側に引き出されるかを示す。天井支持フレーム２２には、天井支持フレーム２２が外側に引き出されることができ、水平方向に延びるように、ピボットを中心に回転する。引き出された後、天井支持フレーム２２は水平方向に延びた状態で固定される。
【００９２】
図１２は、図１１のステップに続くステップを示す。左右の天井板３２ａ及び３２ｂはヒンジシャフトを中心に外側上方に回転される。この回転の結果、このように引き出された左右の天井板３２ａ、３２ｂは、天井支持フレームと接触し、水平方向に延びる。これらの天井板３２ａ、３２ｂは、ボルト、フック等で天井支持フレーム２２に固定される。
【００９３】
図１３は、図１２のステップに続くステップを示す。壁パネルの各々３３ａ〜３３ｈは、スライドされて外側に引き出される。したがって、左右の床板３１ａ、３１ｂと左右の天井板３２ａ、３２ｂとで形成された室内空間は、壁パネル３３ｃ〜３３ｆで仕切られる。さらに、壁パネル３３ａ、３３ｂと壁パネル３３ｇ、３３ｈは、室内空間を室外空間から分離する。
【００９４】
図１４は、図１３のステップに続くステップを示す。外壁パネル３７ａ〜３７ｈは、回転されて対応する壁パネル３３ａから外側に引き出される。外側に引き出された外壁パネル３７ａ〜３７ｈは、図１４に示すようにハウス１の外壁を形成する。
【００９５】
図１５は、図１４のステップに続くステップを示す。第３壁パネル３３ｃの２つの外壁パネル３７ｃの一方、第４壁パネル３３ｄの２つの外壁パネル３７ｄの一方、第５壁パネル３３ｅの２つの外壁パネル３７ｅの一方、及び第６壁パネル３３ｆの２つの外壁パネル３７ｆの一方が、メインフレーム部材１０の中に回転される。この回転の結果、ハウス１の入口７５が形成される。なお、第３壁パネル３３Ｃの２つの外壁パネル３７ｃの一方、第４壁パネル３３ｄの２つの外壁パネル３７ｄの一方、第５壁パネル３３ｅの２つの外壁パネル３７ｅの一方、及び第６壁パネル３３ｆの２つの外壁パネル３７ｆの一方は、メインフレーム部材１０の中に回転されなくてもよいし、外壁パネル３７ｃ、３７ｄ、３７ｅ、３７ｆのいずれか１つに事前に設けられたドアがハウス１の入口として使用されてもよい。
【００９６】
図１６は、入口が形成された図１５のハウス１が地面に据え付けられる工程を示す。
【００９７】
ハウス１全体がクレーン等により持ち上げられて車台４から降ろされ、設置位置の地面に配置される。図１６の状態が達成されると、誰でもハウス１に出入りすることが可能になる。
【００９８】
尚、上述したように、壁パネル３３ａ〜３３ｈが床板３１ａ、３１ｂ及び天井板３２ａ、３２ｂに接して広げられる前に、コンテナ内のハウス１を車台４から降ろし、地面に配置してもよい。その後、壁パネル３３ａ〜３３ｈは、床板３１ａ、３１ｂ及び天井板３２ａ、３２ｂに接して広げられることができる。
【００９９】
次に、図１６に示すように、ハウス１の内部を４つのベッドルーム５４に仕切り、また２つのリビングスペース５３を形成するように、ドアパネル３９ａ、３９ｂが回転される。ベッドルーム５４の各々において、ベッドユニット３６は、使用するための水平位置まで引き下ろされる。その結果、キッチンスペース５４が中央に位置し、２つのリビングスペース５４がキッチンスペース５１の左右両側に配置され、２つのベッドルーム５４が２つのリビングスペース５３の各々の前後両側に配置されたハウス１が形成される。
【０１００】
上述の実施例では、コンテナ型ユニットのメインフレーム部材１０はハウス１の外殻として機能し、可動プレハブコンテナハウスは住居として使用することができる。したがって、目的地での面倒な組み立て作業の量を最小限に減らすことができる。また、メインフレーム部材１０をトレーラートラック２で牽引することができるので、可動プレハブコンテナハウスを任意の場所に移動することができる。さらに、メインフレーム部材１０に収容された住宅形成部材３０は、容易に引き出され、組み立てられる。したがって、複数のリビングスペース５３及び複数のベッドルーム５４を引き出し、メインフレーム部材１０の左右両側に形成することができる。その結果、非専門の労働者であっても住宅の容易な拡張及び組み立てが可能となり、本体のほぼ３倍の大きさに拡張されたリビングスペースを得ることができる。
【０１０１】
可動プレハブコンテナハウス１を住居の状態から、図１〜５に示すような設置場所に輸送又は移動させることができる非拡張コンテナハウスの状態に戻す解体は、上述の拡張及び組み立てと逆の手順を取ることによって行うことができる。
【０１０２】
［実施例２］
図１７は、実施例１のハウス１をハウス１と同一の別のハウスに積み重ねることにより形成された２階建て住宅６０を示す。上側及び下側ハウス１、１は、メインフレーム部材１０が互いに接触することができるように積み重ねられている。上側及び下側ハウス１、１は、実施例１に記載されたものと同じ作業を行うことによって拡張することができる。これらの拡張されたハウスは、垂直に積み重ねられ、例えば、ボルト、ツイストロック等で連結される。このようにして、２階建て住宅６０を形成することができる。この例では、開閉可能な又は取り外し可能なドアを有する開口部が、下側ハウス１の天井と上側ハウス１の床の、上側及び下側ハウス１の対応する位置に設けられ得る。また、上側及び下側ハウス１の間の連絡を可能にする階段が配置され得る。上側ハウス１の内部と外部との連絡を可能にする階段とさらにエレベーターとを有する階段室が、外部から直接、上側ハウス１に対して設置され得る。
【０１０３】
図１７に示すこのような実施例では、住宅の拡張が簡単である。したがって、さらに拡張されたリビングスペースを得ることができる。このように、層になったハウスを形成するために１つ又は複数のハウス１を積み重ね得るので、重ねて配置したユニットの数に応じてスペースを増大させることができる。
【０１０４】
図面には示されていないが、拡張用の予備床板と拡張用の予備天井板を、左右の床板３１ａ、３１ｂと左右の天井板３２ａ、３２ｂの各々に摺動可能に設けてもよい。拡張用の予備床板と拡張用の予備天井板は、すべての左右の床板３１ａ、３１ｂと左右の天井板３２ａ、３２ｂが水平方向に延びるように回転された後に、スライドされて外側に移動される。これらの予備床板と予備天井の摺動及び拡張は、床板と天井板がさらに外側に延びることを可能にする。この場合、居住スペースは図１〜１６の実施例の居住スペースよりも大きい。したがって、住居を拡張することができる。
【０１０５】
［実施例３］
図１８〜２１は実施例３の可動プレハブコンテナハウス７１を示し、図１８及び１９は拡張されていない状態の断面図を示し、図２０及び２１は拡張された状態の断面図を示す。実施例３の可動プレハブコンテナハウス７１において、実施例１の可動プレハブコンテナハウス１と同じ構成要素には同じ符号が与えられている。
【０１０６】
可動プレハブコンテナハウス７１の場合、リビングスペースが中央に設けられ、バスルーム７３がリビングスペース７２の前側に設けられている。さらに、物置７４がリビングスペース７２の後側に設けられている。バスルーム７３と物置７４は、ハウス１が拡張されていない場合でもバスルーム７３と物置７４をそのまま使用できるように、ハウス７１の非拡張状態においてメインフレーム部材１０の内部に設けられている。その結果、バスルーム７３と物置７４は、可動プレハブコンテナハウス７１が拡張されておらず、輸送又は移動されている状態でも使用することができる。したがって、可動プレハブコンテナハウス７１が輸送又は移動されている状態でも、可動プレハブコンテナハウス７１を有効に利用することができる。
【０１０７】
本発明は、実施例１〜３に限定されることを意図するものではなく、様々な変更を加え得る。
【０１０８】
例えば、可動プレハブコンテナハウス１及び７１の内部空間は、必要に応じて変更することができる。また、可動プレハブコンテナハウス１又は７１において、天井部に太陽発電機又は風力発電機（太陽光発電機、太陽熱発電機、風車）を配置し得る。太陽発電機及び／又は風力発電機が可動プレハブコンテナハウス１又は７１に電気的に接続された状態で、太陽発電機及び／又は風力発電機は、家電機器の電源を確保できるように外部に配置されている。また、可動プレハブコンテナハウス１又は７１において、天井部に太陽熱集熱器を配置し得る。さらに、外壁パネル３７ａ〜３７ｈに窓を設けてもよい。こうして、ハウス１、１７において窓を通した換気が可能となる。壁の最大８０％が、工学設計によって決定された支持及び強度に従う、ガラス又は他の光を通す材料又は透明な材料で作られ得る。また、床板３１ａ、３１ｂと天井板３２ａ、３２ｂは、必ずしも回転構造を有しておらず、摺動可能な構造を有していてもよい。
【０１０９】
例えば、ハウス１が拡張されていない状態のとき（拡張前）、右側床板３１ａと右側天井板３２ａは、右側天井板３２ａが右側床板３１ａの外側に配置されるように互いに重なり合ってもよく、左側床板３１ｂと左側天井板３２ｂは、左側天井板３２ｂが左側床板３１ｂの外側に配置されるように互いに重なり合ってもよい。この構成は、可動プレハブコンテナハウス１が輸送又は拡張されるときに、雨等に対する防水に優れた能力を可動プレハブコンテナハウス１に与えることができる。また、天井又は屋根として機能した右側天井板３２ａと左側天井板３２ｂを、右側床板３１ａと左側床板３１ｂの拡張前に又は拡張にかかわらず、拡張することができる。したがって、上記構成によれば、組み立てる人は、右側天井板３２ａと左側天井板３２ｂの拡張後に雨が降っているときに彼ら自身と右側床板３１ａと左側床板３１ｂを雨ざらしにすることなく、可動プレハブコンテナハウス１を住居へと拡張し又は組み立てることができる。また、可動プレハブコンテナハウス１は、右側床板３１ａと左側床板３１ｂの拡大をせずに可動プレハブコンテナハウス１を使用する場合に雨や日差しを遮る天井又は屋根として機能する、右側天井板３２ａ及び左側天井板３２ｂの拡大のみで使用することができる。したがって、上記構成は、可動プレハブコンテナハウス１の幅広い使用レパートリーをもたらすことができる。
【０１１０】
［実施例４］
次に、図２２〜２６を参照して、本実施例に係る可動プレハブコンテナハウス１の設置において設置場所８０に設けられる設置用基礎体８１について説明する。
【０１１１】
図２２に示すように、設置用基礎体８１の各々は、地中８２に埋設された埋設管体８３と、その先端部分が地面から突出した状態で埋設管体８３内に垂直に設けられた棒体８４とを含む。
【０１１２】
埋設管体８３は、中空内部を有する円筒状周壁部８６と、周壁部８６の下端にある回転部８７を介して周壁部８６に連結され且つ周壁部８６の下側開口部８８を開閉することができる下部可動カバー本体８９と、周壁部８６の内部を閉じるために周壁部８６の上端に設けられたゴム引きＯ−リングを下側に有する上部固定カバー本体９０とを含む。上部固定カバー本体９０には、棒体８４が通る貫通孔９１が設けられている。
【０１１３】
棒体８４は、可動プレハブコンテナハウス１が取り付けられる取り付け面９２がその先端に形成された桿状の棒本体９３と、埋設管体８３の内部で棒本体９３を支持する棒支持部材９４とから形成される。棒支持部材９４の各々は、棒本体９３の外周に固定されたリング状接続部９５と、接続部９５に固定された一方の側と周壁部８６の内壁９６に支持された他方の側とを有する支持アーム９７とから形成されている。複数の支持アーム９７と支持部材９４は、図２３（Ｃ）に示すように、接続部９５の円周方向に等間隔で放射状に設けられる。
【０１１４】
上記構成を有する設置用基礎体８１は、図２２に示すように、可動プレハブコンテナハウス１の四隅に対応するように地中に埋設され、可動プレハブコンテナハウス１は、地面から突出する棒本体９３の取り付け面９２に取り付けられる。
【０１１５】
次に、図２３〜２５を参照して、設置用基礎体８１を設置する手順について説明する。
【０１１６】
図２３は、地中に埋設された２つの設置用基礎体（ａ）及び（ｂ）を示し、棒体は２箇所９５で溶接されたダンパー（棒体９３に垂直な一方の組９７と約４５度の角度で棒体の下部にある他方の組９４）を有し、（Ｃ）は棒体の断面図であり、ヒンジ８７で管体８３に取り付けられた蓋８９は閉じられ、管体８３の上部にシールが設けられ、コンテナハウスの取り付け端９２を有する棒体８４は突出している。
【０１１７】
（ａ）管体は、棒体８４と上部固定カバー本体９０（貫通孔９１の周囲）との間のＯリング３２１と、上部固定カバー本体９０と管体８３との間のＯ−リング３１８と、棒体８４の端部において約４５度で管体に溶接されたリム３２０に載っているダンパー９４とを有し、蓋８９はヒンジ８７により管体８３に連結されている。
【０１１８】
（ｂ）管体は、上部固定カバー本体９０と管体８３との間にＯリング３１８を有する。ダンパー９４は、約４５度で、管体９３に溶接された蓋３１９に載っている。
【０１１９】
図２４に示すように、埋設管体８３の直径よりも僅かに大きな直径を有する穴９８が、可動プレハブコンテナハウス１を配置する地面に、ボーリングにより掘られる。その後、図２５に示すように、埋設管体８３は、カバーが管体に溶接されている場合（すなわち、図２３（ｂ）に示すように）を除き、下部可動カバー本体８９を開かないように穴９８に挿入される。穴９８に埋設管体８３を挿入した後、棒体８４が埋設管体８３に挿入される。この場合、埋設管体８３が設置される穴９８の深さは、棒本体９３の先端が地面８２から突出することを可能にするように予め設定されている。
【０１２０】
この状態から、管体８３が埋設され、図２３に示すように土で覆われる。この場合、棒本体９３の先端が地面から突出し、取り付け面９２が地面から所定の位置に突出する。上記のように、設置用基礎体８１は、可動プレハブコンテナハウス１の四隅に対応するように地面に埋設される。したがって、棒本体９３の先端は地面から突出することが可能になり、それぞれの棒本体９３の９２取り付け面が同じ高さに設定される。その後、可動プレハブコンテナハウス１が取り付け面９２に取り付けられる。
【０１２１】
設置場所から可動プレハブコンテナハウス１を回収した後、埋設管体８３は、棒体８４と共に地面から引き出され得る（図示せず）。
【０１２２】
［実施例５］
次に、図２６〜３０を参照して、複数のハウス１がメガストラクチャーとの組み合わせを形成するのに使用される実施例５の場合について説明する。
【０１２３】
実施例５では、複数の上記可動プレハブコンテナハウス１を有するメガストラクチャーアセンブリが、限られた場所に設置される。メガストラクチャーは、ストラクチャーの内側の縁に沿って敷かれたトラック上にある、ストラクチャーの上部で２つのストラクチャーをまたぐクレーンを用いて、２つの同一のストラクチャーを互いに水平方向に向かい合う位置に設置することによって形成することができる。
【０１２４】
図２６〜２９に示すように、この実施例に係る可動プレハブコンテナハウス１は、設置場所１００で形成されたメガストラクチャー１０１内に組み立てられ、３層以上に配置される。メガストラクチャー１０１の各々は、コンテナハウス１を収容するためのハウジング構造部１０２と、ハウジング構造部１０２に隣接して配置された階段構造部１０３とを含む。メガストラクチャーの追加の機能を、図４２に関連して説明する。
【０１２５】
ハウジング構造部１０２は、地面１０４から垂直に設けられた複数の柱部材１０５と、柱部材１０５を連結し、グリッド状の構造に組み立てられた柱部材１０５と共にコンテナ１を収容するスペース１０６を画定する梁部材１０７と、スペース１０６に収容されたコンテナハウス１が取り付けられる床又は床板１０８であって、梁部材１０７によって支持される床板１０８とを含む。
【０１２６】
梁部材１０７は、柱部材１０５と共にフレームワークを形成するフレームワーク梁部材１０９と、フレームワーク梁部材１０９間に連結されて床１０８を支持するコンテナ支持梁部材１１０とを含む。床１０８の各々は、可動プレハブコンテナハウス１が取り付けられるコンテナ取り付け部１１１と、コンテナ取り付け部１１１に隣接する廊下形成部１１２とを含む。この廊下形成部１１２は階段構造部１０３に連結される。したがって、階段構造部１０３を通って各階の廊下形成部１１２へ行くことができる。
【０１２７】
階段構造部１０３は、柱部材１１３と、梁部材１１４と、柱部材１１３及び梁部材１１４によって画定されるスペースに設けられた階段ユニット１１５とを含む。
【０１２８】
また、ストラクチャー１０１の外周部に、ストラクチャー１０１の側面をカバーする保護ネット１１６が設けられている。保護ネット１１６は、地震及び暴風に対する保護の提供を助ける。
【０１２９】
次に、本実施例に係るメガストラクチャーフレームワークを有するメガストラクチャーアセンブリを完成するために、可動プレハブコンテナハウス１をメガストラクチャーの複数階に配置する手順について説明する。
【０１３０】
フレームワークは、コンテナハウスアセンブリ１を設置するための設置場所１００において、柱部材１０５と梁部材１０７によってストラクチャー１０１内に形成される。また、階段部分のフレームワークは、ストラクチャー１０１に隣接して柱部材１１３と梁部材１１４によって階段構造部１０３内に形成される。フレームワークが柱部材１０５及び１１３と梁部材１０７及び１１４によって形成された後、その中に可動プレハブコンテナハウス１を収容することのできるスペース１０６を形成するために、梁部材１０７上に床１０８が配置される。
【０１３１】
その後、可動プレハブコンテナハウス１は、水平方向に向かい合う２つのメガストラクチャーをまたぐクレーン車等を用いて、梁部材１０７間に形成された空間１０６に収容され、非図示の固定手段によって固定される。この場合、可動プレハブコンテナハウス１は、階段構造部１０３に続く廊下形成部分１１２を残す位置に配置される。梁部材１０７によって複数階に形成された空間１０６に可動プレハブコンテナハウス１を収容して固定することによって、複数階に積み重ねられた可動プレハブコンテナハウス１を有するコンテナハウスアセンブリが形成される。その後、ストラクチャー１０１の側面は、最終的に保護ネット１１６で覆われる。
【０１３２】
上記のように、この実施例によれば、小さくて限られた設置面積を有する場所でも、可動プレハブコンテナハウス１を複数階に設置してメガストラクチャーを形成することによって、より大きな居住空間を提供することができる。
【０１３３】
また、図２８及び３０に示すように、設置場所において複数階に積み重ねた可動プレハブコンテナハウス１を有する複数のメガストラクチャーを形成することによって、より大きな居住空間を提供することができる。この場合、図３０に示すように、コンテナハウスアセンブリを互いに部分的に連結することにより、メガストラクチャーを互いに無限に連結することができ、たった１つのクレーンがメガストラクチャーの間で移動し、必要に応じて可動プレハブコンテナハウスを吊り上げたり、降ろしたりすることが可能になる。図３０は、複数のメガストラクチャーアセンブリが組み立て中である状態を示し、メガストラクチャーの並置により、何百何千ものコンテナハウスの設置用スペースが提供されている。トラック３０５がメガストラクチャーの縁に沿って敷かれ、１つのメガストラクチャーから別のメガストラクチャーへトラックを移動するクレーン３０６が示されている。また、メガストラクチャーを連結するダンパー３０３が、各メガストラクチャーの上端の間に示されている。
【０１３４】
［実施例６］
次に、図３１〜４０を参照して、可動プレハブコンテナハウスの実施例６について説明する。以下の説明では、実施例１の可動プレハブコンテナハウス１と異なる部分のみを説明する。
【０１３５】
実施例１の場合のように、この実施例の可動プレハブコンテナハウス２００は、設置場所２１６まで移動可能な又は輸送可能な本体Ａと、予め組み立てられた角型「Ｕ」字形状壁によって形成されるハウスとを含む。角型「Ｕ」字形状又は「Ｕ」字形壁は、本体Ａに収容され、本体Ａと共に設置場所に輸送又は移動され、設置場所で本体Ａから引き出され、予め組み立てられた角型「Ｕ」字形状壁が天井板と床板との間に挟まれるように拡張され又は組み立てられるように構成される。本体Ａは、実施例１の場合のようにトレーラートラック２で牽引することができるコンテナ型メインフレーム部材２０１を含む。予め組み立てられた角型「Ｕ」字形壁で形成されたハウスは、メインフレーム部材２０１に収容することができ且つ設置場所でメインフレーム部材２０１から引き出されてハウスへと組み立てることができる複数の住宅形成部材２０２を含む。
【０１３６】
図３１、３２及び３６〜４０に示すように、メインフレーム部材２０１は、床及び天井をそれぞれ形成する一対の上方及び下方水平フレーム２０３及び２０４と、壁を形成するように水平フレームの端部で水平フレームを連結する一対の垂直フレーム２０５及び２０６とによって箱形に形成される。住宅形成部材２０２は、床板２０７と、天井板２０８と、壁パネル２０９と、バス・トイレユニット２１０と、ベッドユニット２１１とを含む。
【０１３７】
壁パネル２０９の各々は、平面視で予め組み立てられた角型「Ｕ」字形に前もって形成され、且つ角型「Ｕ」字形を維持しながらメインフレーム部材２０１に収容された第１〜第３壁パネル２１２、２１３及び２１４を有するユニット壁２１５から形成される（図３５参照）。可動プレハブコンテナハウス２００が所定の設置場所２１６に配置された後、壁パネル２０９は、角形「Ｕ」字形を維持しながら、ユニット壁２１５としてメインフレーム部材２０１から引き出され、床板２０７と天井板２０８を除く３面の壁として機能する。したがって、壁パネル２０９は床板２０７及び天井板２０８と共に居住空間を形成する。
【０１３８】
また、メインフレーム部材２０１は、設置場所２１６でメインフレーム部材２０１から引き出されて床板２０７を支持する支持フレーム２１７を収容している。図３３に示すように、床板２０７は、メインフレーム部材２０１の下方水平フレーム２０４上の回転部２１８によって回転可能に支持され、組み立て時に支持フレーム２１７上に広げられる。また、天井板２０８も、床板２０７の場合のように、メインフレーム部材２０１の上方水平フレーム２０３上の回転部２１８によって回動可能に支持され、組み立て時にユニット壁２１５上に広げられる。したがって、実施例１では天井板２０８を支持するフレームが必要であるが、この実施例ではそのようなフレームはもはや必要ない。より詳細には、この実施例では、天井板２０８がロッド部材２１３又は支柱２２３等によって一時的に、水平フレーム２０３に対して回転され且つ広げられた状態に保持される。その後、天井板２０８は、ユニット壁２１５を引き出した後にユニット壁２１５の端部に取り付けられ、固定される。したがって、天井板２０８を支持するフレームはもはや必要ない。天井板２０８を水平フレーム２０３に回転可能に連結する回転部２１８の外側にカバー２１９が設けられることに留意されたい。
【０１３９】
また、ユニット壁２１５として、メインフレーム部材２０１の一方の側に引き出される一方側ユニット壁２１５と、メインフレーム部材２０１の他方の側に引き出される他方側ユニット壁２１５とが設けられる。一方側ユニット壁２１５と他方側ユニット壁２１５は、図３１に示すように互いに重なり合う第２及び第３壁パネル２１３及び２１４を有しながら、メインフレーム部材２０１に収容される。より詳細には、他方側ユニット壁２１５は、一方側ユニット壁２１５に対してメインフレーム部材２０１の長手方向（Ｙ軸方向）にずらされた状態でメインフレーム部材２０１に収容される。
【０１４０】
また、図３５に示すように、一方側ユニット壁２１５と他方側ユニット壁２１５が引き出された状態で、第２壁パネル２１３は、隣接するユニット壁２１５の第３壁パネル２１４の端部に形成されたゴム状ストッパー部２２２に接触し、第３壁パネル２１４の端部に形成されたゴム状ストッパー部２２２は、メインフレーム部材２０１と接触する。このようして、ユニット壁２１５の引き出し位置が決定される。
【０１４１】
次に、図３６〜４０を参照して、可動プレハブコンテナハウス２００を設置場所２１６に移動した後、可動プレハブコンテナハウス２００を設置場所２１６に設置する手順について説明する。
【０１４２】
図３６〜３９に示すように、支持フレーム２１７は、可動プレハブコンテナハウス２００が設置場所２１６に配置された状態で水平フレーム２０４の下側から引き出される。この状態から、床板２０７は、回転部２１８によって回転され、支持フレーム２１７に取り付けられ、固定される。次に、天井板２０８が回転部２１８によって回転され、ロッド部材又は支柱（図示せず）によって天井部分に配置された状態で、ユニット壁２１５が、図３６〜３９に示すように、床板２０７と天井板２０８との間に引き出される。ユニット壁２１５は、完全に延ばされた位置まで引き出され、その引き出し位置はストッパー部（図示せず）によって決定され得る。この状態で、ロッド部材は取り除かれ、予め組み立てられた角型「Ｕ」字形ユニット壁２１５が、床板２０７及び天井板２０８に固定される。一方側ユニット壁２１５の場合のように、他方側ユニット壁２１５もまた、上記の手順を経て、メインフレーム部材２０１から引き出される。この実施例では、３つの予め組み立てられた角型「Ｕ」字形ユニット壁２１５が、それぞれ、メインフレーム部材２０１の両側に引き出される。したがって、図３２に示すように、６つの部屋を形成することができる。
【０１４３】
支持フレーム延長部３２２が、図３６及び３７に示すように天井板２０８をさらに支持するために、水平フレーム２０３の上側に上方支持フレーム３０７から引き出され得る。オプションとして、図３７及び３９に示す（上部支持フレーム３０７をカバーする）延ばされた床３０８及び天井３０９が、図３６及び３８に示すハウス２００にさらなる支持を加えるために使用され得る。
【０１４４】
したがって、図３２及び４０に示すように、ハウス部分を拡大することができ、居住空間を拡大することができる。
【０１４５】
この実施例では、床板２０７と天井板２０８を除く３つの壁は、前もって形成され、すなわち角型「Ｕ」字形に予め組み立てられ、メインフレーム部材２０１に収容され、次いで角型「Ｕ」字形を維持しながら引き出され又は引き抜かれる。したがって、第１〜第３壁パネル２１２〜２１４を個々に連結し、固定する作業はもはや必要ない。その結果、ハウスの拡張及び組み立てを、実施例１に比べてより容易に行うことができる。さらに、このデザインは、図３６及び３７に示すように、天井梁及び床梁をケーブル３０１で互いに結合し、クランプ又はシャックル３００で締め付けるプロセス、或いは、図に３８〜４０示すように、壁を補強し又は互いに結び付けるために、鋼製ロッド又はパイプ３１０をメインフレームに対して垂直に、すなわち水平方向に壁の間に挿入するプロセスと組み合わせた場合に、壁を地震及び暴風に対して強くする。一実施形態において、「Ｕ」字形壁を補強する鋼製ロッド又はパイプ３１１は、「Ｕ」字形壁をハウスの全長にわたって補強する鋼製ロッド又はパイプ３１０よりも小さい直径を有することができる。
【０１４６】
また、この実施例では、上記実施例の場合のように、コンテナ型メインフレーム部材２０１がハウスの外殻として機能する。このようにして、可動プレハブコンテナハウスは住宅として使用することができる。したがって、目的地での面倒な組み立ては、３人でわずか３時間の労働時間しかかからないように低減することができる。また、メインフレーム部材２０１をトレーラーで牽引することができるので、コンテナハウスを任意の場所に移動し、何度でも再利用することができる。
【０１４７】
また、メインフレーム部材２０１に収容された住宅形成部材２０２は、容易に引き出して組み立てることができる。したがって、複数のリビングスペース及びベッドルームを、メインフレーム部材２０１の左右に引き出すことによって形成することができる。
【０１４８】
尚、窓及び出入り口はユニット壁２１５を形成する第１〜第３壁パネルに前もって形成されていてもよいことに留意されたい。
【０１４９】
［実施例７］
次に、図４１〜４５を参照して、２組のフレームを使用してメガストラクチャーを形成する実施例７の場合について説明する。
【０１５０】
実施例７では、複数の上記可動プレハブコンテナハウス１を有するメガストラクチャーアセンブリが、限られた場所に設置される。メガストラクチャーは、ストラクチャーの内側の縁に沿って敷かれたトラック上にある、ストラクチャーの上部で２つのストラクチャーをまたぐクレーンを用いて、可動プレハブコンテナハウス１を互いに水平方向に向かい合う位置に設置することによって形成することができる。
【０１５１】
図４１に示すように、２組の内側フレーム３０２はワイヤーメッシュ（図４３参照）を支持し、ワイヤーメッシュは地震及び暴風に抵抗力がある支持を外側フレームに提供するする。注目されるのは、メインフレームから突出する小梁３１２であり、この小梁３１２に沿ってワイヤーメッシュ（図４３参照）を支持するメインケーブルが移動する。
【０１５２】
図４２及び４５に示すように、この実施例に係る可動プレハブコンテナハウス１は、設置場所１００で形成されたメガストラクチャー１０１内に組み立てられ、３層以上に配置される。メガストラクチャー１０１の各々は、コンテナハウス１を収容するためのハウジング構造部１０２と、ハウジング構造部１０２に隣接して配置された階段構造部１０３とを含む。
【０１５３】
ハウジング構造部１０２は、地面１０４から垂直に設けられた複数の柱部材１０５と、柱部材１０５を連結し、グリッド状の構造に組み立てられた柱部材１０５と共にコンテナ１を収容するスペース１０６を画定する梁部材１０７と、スペース１０６に収容されたコンテナハウス１が取り付けられる床又は床板１０８であって、梁部材１０７によって支持される床板１０８とを含む。
【０１５４】
梁部材１０７は、柱部材１０５と共にフレームワークを形成するフレームワーク梁部材１０９と、フレームワーク梁部材１０９間に連結されて床１０８を支持するコンテナ支持梁部材１１０とを含む。床１０８の各々は、可動プレハブコンテナハウス１が取り付けられるコンテナ取り付け部１１１と、コンテナ取り付け部１１１に隣接する廊下形成部１１２とを含む。この廊下形成部１１２は階段構造部１０３に連結される。したがって、階段構造部１０３を通って各階の廊下形成部１１２へ行くことができる。
【０１５５】
階段構造部１０３は、柱部材１１３と、梁部材１１４と、柱部材１１３及び梁部材１１４によって画定されるスペースに設けられた階段ユニット１１５とを含む。
【０１５６】
次に、本実施例に係るメガストラクチャーアセンブリを形成するために、可動プレハブコンテナハウス１をメガストラクチャーの複数階に配置する手順について説明する。
【０１５７】
フレームワークは、コンテナハウスアセンブリ１を設置するための設置場所１００において、柱部材１０５と梁部材１０７によってストラクチャー１０１内に形成される。また、階段部分のフレームワークは、ストラクチャー１０１に隣接して柱部材１１３と梁部材１１４によって階段構造部１０３内に形成される。フレームワークが柱部材１０５及び１１３と梁部材１０７及び１１４によって形成された後、その中に可動プレハブコンテナハウス１を収容することのできるスペース１０６を形成するために、梁部材１０７上に床１０８が配置される。
【０１５８】
その後、可動プレハブコンテナハウス１は、水平方向に向かい合う２つのメガストラクチャーをまたぐクレーン車等を用いて、梁部材１０７間に形成された空間１０６に収容され、非図示の固定手段によって固定される。この場合、可動プレハブコンテナハウス１は、階段構造部１０３に続く廊下形成部分１１２を残す位置に配置される。梁部材１０７によって複数階に形成された空間１０６に可動プレハブコンテナハウス１を収容して固定することによって、複数階に積み重ねられた可動プレハブコンテナハウス１を有するコンテナハウスアセンブリが形成される。その後、ストラクチャー１０１の側面は、最終的に保護ネット１１６で覆われる。
【０１５９】
図４２は、４組のフレームの斜視図である。内側の組の（２つの）フレーム３０２はワイヤーメッシュを支持し、一方、外側の組の（２つの）フレーム３０４はコンテナハウスを配置して固定する床を支持する。
【０１６０】
図４３は、内側フレーム３０２及び外側フレーム３０４で作られたメガストラクチャーの側面の拡大図である。内側小フレームは、上部と下部において内側小フレームから突出する、各々がローラー３１４を備えた２つの梁３１２を有する。外側大フレームは、３箇所（上部付近、中間付近、下部付近）において外側大フレームから突出するダンパー３０３を有する。
【０１６１】
内側小フレーム３０２の上部にケーブル３１３が取り付けられ、フレームから突出する梁３１２に取り付けられたローラー３１４の周りに伸びている。ケーブル３１３は、外側大フレーム３０４の側面に沿って移動するワイヤーメッシュ１１６を支持し、ケーブル３１３の下端が小フレーム３０２の一番下のローラー３１４の周りを移動して、取り付け点３１５で内側小フレームに取り付けられるまで、（３つの）ダンパー３０３を押す。
【０１６２】
上記のように、この実施例によれば、小さくて限られた設置面積を有する場所でも、可動プレハブコンテナハウス１を複数階に設置してメガストラクチャーを形成することによって、より大きな居住空間を提供することができる。
【０１６３】
また、図４４及び４５に示すように、設置場所において複数階に積み重ねた可動プレハブコンテナハウス１を有する複数のメガストラクチャーを形成することによって、より大きな居住空間を提供することができる。この場合、図４５に示すように、メガストラクチャーの床１０８の図４４における拡大図に示される連結機構（例えば、同様に構成された対応ブラケット３１７に対してツイストロック［図示せず］で取り付けられ且つ固定されるコンテナハウス用の４つのブラケット３１６）を用いて、コンテナハウスアセンブリを互いに連結することにより、より大きな居住空間が提供される。メガストラクチャーを互いに無限に連結することができ、たった１つのクレーン３０６がメガストラクチャーの間でトラック３０５を移動し、必要に応じて可動プレハブコンテナハウス１を吊り上げたり、降ろしたりすることが可能になる。
【産業上の利用可能性】
【０１６４】
本発明は、任意の場所に移動することができ、面倒な組み立て作業量を最小限にすることができ、たった１つのユニットに基づいて居住空間をほぼ３倍に拡張することができ、地震及び暴風に対してハウスを保護するそのプロセスによってハウスを長期間存在させることができるプレハブコンテナハウスを提供することができる。また、ハウスを移転する必要がある場合には、組み立て工程を逆にすることにより同じくらい容易にそれを行うことができ、後に瓦礫を残さずに移動を達成し、ハウスを長期間にわたり再利用可能にする。最終的には、ハウスを溶かしてリサイクルする必要がある。
【図１】
2013515178.tif 000003
【図２】
2013515178.tif 000004
【図３】
2013515178.tif 000005
【図４】
2013515178.tif 000006
【図５】
2013515178.tif 000007
【図６】
2013515178.tif 000008
【図７】
2013515178.tif 000009
【図８】
2013515178.tif 000010
【図９】
2013515178.tif 000011
【図１０】
2013515178.tif 000012
【図１１】
2013515178.tif 000013
【図１２】
2013515178.tif 000014
【図１３】
2013515178.tif 000015
【図１４】
2013515178.tif 000016
【図１５】
2013515178.tif 000017
【図１６】
2013515178.tif 000018
【図１７】
2013515178.tif 000019
【図１８】
2013515178.tif 000020
【図１９】
2013515178.tif 000021
【図２０】
2013515178.tif 000022
【図２１】
2013515178.tif 000023
【図２２】
2013515178.tif 000024
【図２３（ａ）】
2013515178.tif 000025
【図２３（ｂ）】
2013515178.tif 000026
【図２３（ｃ）】
2013515178.tif 000027
【図２４】
2013515178.tif 000028
【図２５】
2013515178.tif 000029
【図２６】
2013515178.tif 000030
【図２７】
2013515178.tif 000031
【図２８】
2013515178.tif 000032
【図２９】
2013515178.tif 000033
【図３０】
2013515178.tif 000034
【図３１】
2013515178.tif 000035
【図３２】
2013515178.tif 000036
【図３３】
2013515178.tif 000037
【図３４】
2013515178.tif 000038
【図３５】
2013515178.tif 000039
【図３６】
2013515178.tif 000040
【図３７】
2013515178.tif 000041
【図３８】
2013515178.tif 000042
【図３９】
2013515178.tif 000043
【図４０】
2013515178.tif 000044
【図４１】
2013515178.tif 000045
【図４２】
2013515178.tif 000046
【図４３】
2013515178.tif 000047
【図４４】
2013515178.tif 000048
【図４５】
2013515178.tif 000049
【国際調査報告】
2013515178.tif 000050
2013515178.tif 000051